(57)【要約】      （修正有）【課題】ワイヤレス通信ネットワークにおいて、ピークシステムスループットを向上させるための干渉測定の方法、システムおよび装置を提供する。【解決手段】１または複数の送信ポイントから受信される１または複数の干渉測定リソース要素を識別し、識別した１または複数の干渉測定リソース要素に少なくとも部分的に基づいて、干渉測定推定を実行する。レポートの形式のＣＳＩを、１または複数の干渉測定推定に少なくとも部分的に基づいて生成する。ＣＳＩレポートが、１または複数のノードに送信され、１または複数の干渉測定リソース要素が、リソース要素のセットの一部として受信される。【選択図】図１９
2020065263.tif 000002
【特許請求の範囲】
【請求項１】
第１のエネルギーを測定するように構成されたリソースのセットを含んでいる、非ゼロ出力（ＮＺＰ）チャネル状態情報（ＣＳＩ）基準信号（ＣＳＩ−ＲＳ）リソースの第１の構成と、
第２のエネルギーを測定するように構成されたリソース要素の第１のセットを含んでいる、ＣＳＩ干渉測定（ＣＳＩ−ＩＭ）リソースの第１の構成と
を含んでいる第１のＣＳＩプロセスと、
ＮＺＰ  ＣＳＩ−ＲＳリソースの前記第１の構成と、
第３のエネルギーを測定するように構成されたリソース要素の第２のセットを含んでいる、ＣＳＩ−ＩＭリソースの第２の構成と
を含んでいる第２のＣＳＩプロセスと
を少なくとも用いて構成されたプロセッサと、
リソース要素の前記第１のセットにおいて前記第２のエネルギーを受信し、
リソース要素の前記第２のセットにおいて前記第３のエネルギーを受信する
ように少なくとも構成された受信機と、
を備えたワイヤレス送受信ユニット（ＷＴＲＵ）であって、前記プロセッサは、
前記受信された第２のエネルギーに少なくとも基づいて、前記第１のＣＳＩプロセスに対応している干渉を測定し、
前記受信された第３のエネルギーに少なくとも基づいて、前記第２のＣＳＩプロセスに対応している干渉を測定する
ようにさらに構成されたことを特徴とするＷＴＲＵ。
【発明の詳細な説明】
【技術分野】
【０００１】
本発明は、ワイヤレスネットワークにおける干渉測定に関する。
【背景技術】
【０００２】
関連技術の相互参照
本出願は、２０１１年８月１２日に出願した「Ｍｅｔｈｏｄｓ，  Ｓｙｓｔｅｍｓ  ａｎｄ  Ａｐｐａｒａｔｕｓｅｓ  ｆｏｒ  Ｉｎｔｅｒｆｅｒｅｎｃｅ  Ｍｅａｓｕｒｅｍｅｎｔ  ｉｎ  Ｗｉｒｅｌｅｓｓ  Ｎｅｔｗｏｒｋｓ」という名称の米国特許仮出願第６１／５２３２７８号明細書、２０１２年１月２６日に出願した「Ｍｅｔｈｏｄｓ，  Ｓｙｓｔｅｍｓ  ａｎｄ  Ａｐｐａｒａｔｕｓｅｓ  ｆｏｒ  Ｉｎｔｅｒｆｅｒｅｎｃｅ  Ｍｅａｓｕｒｅｍｅｎｔ  ｉｎ  Ｗｉｒｅｌｅｓｓ  Ｎｅｔｗｏｒｋｓ」という名称の米国特許仮出願第６１／５９１１６８号明細書、２０１２年５月９日に出願した「Ｍｅｔｈｏｄｓ，  Ｓｙｓｔｅｍｓ  ａｎｄ  Ａｐｐａｒａｔｕｓｅｓ  ｆｏｒ  Ｉｎｔｅｒｆｅｒｅｎｃｅ  Ｍｅａｓｕｒｅｍｅｎｔ  ｉｎ  Ｗｉｒｅｌｅｓｓ  Ｎｅｔｗｏｒｋｓ」という名称の米国特許仮出願第６１／６４４９３６号明細書、および２０１２年７月２日に出願した「Ｍｅｔｈｏｄｓ，  Ｓｙｓｔｅｍｓ  ａｎｄ  Ａｐｐａｒａｔｕｓｅｓ  ｆｏｒ  Ｉｎｔｅｒｆｅｒｅｎｃｅ  Ｍｅａｓｕｒｅｍｅｎｔ  ｉｎ  Ｗｉｒｅｌｅｓｓ  Ｎｅｔｗｏｒｋｓ」という名称の米国特許仮出願第６１／６６７３７９号明細書の利益を主張し、４つのすべての出願の内容がそれら全体として参照によってあらゆる目的で本明細書に組み込まれる。
【０００３】
実施形態では、多重アンテナ送信が、ピークシステムスループットの向上を含む様々な目的でＬＴＥ／ＬＴＥ−Ａｄｖａｎｃｅｄにおいて実施され、セル有効範囲および高いドップラー（Ｄｏｐｐｌｅｒ）サポートを拡張しうることを認める。シングルユーザＭＩＭＯ（ＳＵ−ＭＩＭＯ）は、ピーク／平均ユーザ機器（ＵＥ）（またはワイヤレス送受信ユニット（ＷＴＲＵ））スループットを増大させることができ、マルチユーザＭＩＭＯ（ＭＵ−ＭＩＭＯ）は、たとえば、ダイバーシティ利得を活用することによってピーク／平均システムスループットを改善することができる。
【発明の概要】
【０００４】
この概要は、発明を実施するための形態でさらに後で説明される概念の一部を簡略化した形式で紹介するために示される。この概要は、クレームされた主題の主要な特徴または本質的な特徴を特定することを意図せず、クレームされた主題の範囲を限定するために使用されることも意図していない。
【０００５】
実施形態では、方法、および、プロセッサを備えることができるワイヤレス送受信ユニット（ＷＴＲＵ）などのそのような方法を実施するように構成されるデバイスを企図する。１または複数の実施形態では、プロセッサは、１または複数の送信ポイントから受信されうる１または複数の干渉測定リソース要素を識別するように少なくとも部分的に構成されうる。プロセッサは、識別された１または複数の干渉測定リソース要素に関連付けられたエネルギーに少なくとも部分的に基づいて、干渉測定推定を実行するようにさらに構成されうる。プロセッサはまた、１または複数の干渉測定推定に少なくとも部分的に基づいて、チャネル状態情報（ｃｈａｎｎｅｌ  ｓｔａｔｅ  ｉｎｆｏｒｍａｔｉｏｎ：ＣＳＩ）を生成するように構成されうる。そしてプロセッサは、１または複数の送信ポイントの少なくとも１つへＣＳＩを送信するように構成されうる。１または複数の実施形態では、１または複数の干渉測定リソース要素は、リソース要素のセットの一部として受信されうる。実施形態では、リソース要素のセットは、空のリソース要素をさらに含むことができることを企図する。１または複数の実施形態では、プロセッサは、空のリソース要素に少なくとも部分的に基づいてレートマッチングを実行するようにさらに構成されうる。
【０００６】
実施形態では、方法、および、プロセッサを備えることができるワイヤレス送受信ユニット（ＷＴＲＵ）などのそのような方法を実施するように構成されるデバイスを企図する。１または複数の実施形態では、プロセッサは、１または複数の送信ポイントから受信された１または複数の干渉測定リソース要素を識別するように少なくとも部分的に構成されうる。プロセッサはまた、１または複数の送信ポイントから受信された１または複数の非干渉測定リソース要素を識別するように構成されうる。１または複数の実施形態では、プロセッサが、少なくとも１つのタイプのチャネル状態情報（ＣＳＩ）を識別するように構成されうることを企図する。プロセッサはまた、１または複数の識別された干渉測定リソース要素に関連付けられたエネルギー、１または複数の非干渉測定リソース要素に関連付けられたエネルギー、およびＣＳＩのタイプに少なくとも部分的に基づいて、干渉測定推定を実行するように構成されうる。プロセッサはまた、干渉測定推定に少なくとも部分的に基づいて、識別されたタイプのＣＳＩについてのチャネル状態情報（ＣＳＩ）を生成するように構成されうる。そしてプロセッサはまた、１または複数の送信ポイントの少なくとも１つへＣＳＩを送信するように構成されうる。１または複数の実施形態では、１または複数の非干渉測定リソース要素の少なくとも１つは、非ゼロ出力チャネル状態インジケータ基準信号（ｃｈａｎｎｅｌ  ｓｔａｔｅ  ｉｎｄｉｃａｔｏｒ  ｒｅｆｅｒｅｎｃｅ  ｓｉｇｎａｌ：ＣＳＩ−ＲＳ）でありうる。そして１または複数の実施形態では、プロセッサは、線形値または対数値の少なくとも一方を干渉測定推定に適用するようにさらに構成されうる。
【図面の簡単な説明】
【０００７】
添付の図面と併せて例として与えられた以下の説明から、より詳細な理解が得られる。
【０００８】
【図１Ａ】１または複数の実施形態が実装されうる例示的通信システムの図である。
【図１Ｂ】図１Ａで示された通信システム内で使用されうる例示的ワイヤレス送受信ユニット（ＷＴＲＵ）のシステム図である。
【図１Ｃ】図１Ａで示された通信システム内で使用されうる例示的無線アクセスネットワークおよび例示的コアネットワークのシステム図である。
【図１Ｄ】図１Ａで示された通信システム内で使用されうる別の例示的無線アクセスネットワークおよび例示的コアネットワークのシステム図である。
【図１Ｅ】図１Ａで示された通信システム内で使用されうる別の例示的無線アクセスネットワークおよび例示的コアネットワークのシステム図である。
【図２】実施形態に適合するＬＴＥ／ＬＴＥ−Ａｄｖａｎｃｅｄの例示的な多入力多出力（ＭＩＭＯ）機能を列挙する表を示す図である。
【図３】実施形態に適合する例示的異種ネットワークを示すシステム図である。
【図４】実施形態に適合するユーザ機器固有のプリコーディングされた復調基準信号（ｄｅｍｏｄｕｌａｔｉｏｎ  ｒｅｆｅｒｅｎｃｅ  ｓｉｇｎａｌ：ＤＭ−ＲＳ）をプリコーディングし送信するように適合された例示的ＭＩＭＯ送信機を示すブロック図である。
【図５】実施形態に適合するプリコーディングを受けずにセル固有基準信号（ｃｅｌｌ−ｓｐｅｃｉｆｉｃ  ｒｅｆｅｒｅｎｃｅ  ｓｉｇｎａｌ：ＣＲＳ）を送信するように適合された例示的ＭＩＭＯ送信機を示すブロック図である。
【図６】実施形態に適合するＬＴＥにおいて動作可能な例示的なＵＥ／ＷＴＲＵアンテナポート５のノーマルＣＰのためのＤＭ−ＲＳを示す図である。
【図７】実施形態に適合する様々な数ごとのアンテナポートに対するＣＲＳ構造を示す図である。
【図８】実施形態に適合する最大８層をサポートするためのＤＭ−ＲＳパターンを示す図である。
【図９】実施形態に適合するポートの個数に応じた様々なＣＳＩ−ＲＳパターン再使用を示す図である。
【図１０】実施形態に適合するＣＳＩ−ＲＳ構成および付随するＰＲＢにおけるＣＳＩ−ＲＳ  ＲＥ位置を列挙する表である。
【図１１】実施形態に適合するＣＳＩ−ＲＳ構成番号に応じたＣＳＩ−ＲＳパターンを示す図である。
【図１２】実施形態に適合するＬＴＥシステムおよびＬＴＥ  Ａｄｖａｎｃｅｄシステムにおいて動作可能な送信モードを列挙する表である。
【図１３】実施形態に適合するＬＴＥ／ＬＴＥ−Ａにおいて動作可能な報告モード（Ｒｅｐｏｒｔｉｎｇ  Ｍｏｄｅ）を列挙する表である。
【図１４】実施形態に適合する報告モードに応じた例示的なＣＳＩフィードバックの詳細を列挙する表である。
【図１５】実施形態に適合する例示的周期的報告系列を示す図である。
【図１６】実施形態に適合する例示的分散アンテナベースネットワーク配置を示す図である。
【図１７】実施形態に適合する周波数領域ＲＳ密度に応じた例示的干渉推定精度を示す図である。
【図１８】実施形態に適合する例示的Ｅ−ＰＤＣＣＨリソース定義を示す図である。
【図１９】実施形態に適合するＥ−ＰＤＣＣＨ  ＰＲＢにおいて構成されたＩＣＩ測定のための例示的ＲＥミューティングリソース（ＲＥ  ｍｕｔｉｎｇ  ｒｅｓｏｕｒｃｅｓ）を示す図である。
【図２０】実施形態に適合する様々な例示的なＣＳＩ−ＲＳ構成ペアを列挙する表である。
【図２１】実施形態に適合する干渉測定のためのリリース１１  ＵＥ／ＷＴＲＵとともに動作可能な例示的８Ｔｘ  ＣＳＩ−ＲＳパターンを示す図である。
【図２２】実施形態に適合するリリース１１で動作可能なＣＳＩ−ＲＳポートの個数に応じた例示的ＣＳＩ−ＲＳパターンを示す図である。
【図２３】実施形態に適合する分散アンテナベースネットワーク配置における測定セット、報告セット、および協働セットの例を示す図である。
【図２４】実施形態に適合する例示的異種ネットワークを示す図である。
【発明を実施するための形態】
【０００９】
次に、例示的な実施形態の詳細な説明を様々な図を参照して行う。この説明では可能な実装形態の詳細な例を示すが、これらの詳細は例示に過ぎず、決して本出願の範囲を限定するものではないことに留意されたい。本明細書で使用されるとき、冠詞「ａ」または「ａｎ」は、さらに修飾または特徴付けがない限り、たとえば「１または複数」または「少なくとも１つ」を意味すると理解されうる。また本明細書で使用されるとき、ユーザ機器（ＵＥ）という語句は、無線送受信ユニット（ＷＴＲＵ）という語句と同じものを意味すると理解されうる。
【００１０】
本明細書に開示されたシステムおよび／または方法は、下記のうちの１または複数を含むリソース要素（ＲＥ）ミューティングを提供および／または使用することができる。すなわち、ゼロ出力ＣＳＩ−ＲＳ構成のサブセット、多重ＩＭ−ＣＳＩ−ＲＳ構成、マクロＵＥのためのオールモストブランクサブフレーム（ａｌｍｏｓｔ  Ｂｌａｎｋ  Ｓｕｂｆｒａｍｅ；ＡＢＳ）サブフレーム、拡張ダウンリンク制御チャネルのための予約されたＰＲＢのサブセット、拡張ダウンリンク制御チャネルのために構成されたＰＲＢにおけるＥ−ＰＤＣＣＨ  ＲＥのセット、レガシＰＤＣＣＨ領域における予約されたＣＣＥ、および拡張ダウンリンク制御チャネルにおける予約された拡張ＣＣＥ（Ｅ−ＣＣＥ）などが企図される。
【００１１】
さらなる実施形態では、本明細書に開示されるシステムおよび／または方法は、ＰＤＳＣＨ対ＣＳＩ−ＲＳ出力比（Ｐｃ）を含むＣＳＩ−ＲＳパターン強化およびＣＳＩ−ＲＳ構成を提供および／または使用することもできる。
【００１２】
本明細書に開示されるシステムおよび／または方法は、効率的なＣＳＩフィードバックの方法、ＴＰ表示を可能にする方法（たとえば、黙示的および／または明示的方法）、適応性ＰＭＩ粒度フィードバックのための方法、各ＴＰについてのＲＳＲＰ測定報告、サブバンドごとにＲＩを報告する方法を含む報告されたランク精度を改善する方法、ＰＵＣＣＨにおけるＲＩの存在を指し示す方法、ＣｏＭＰシナリオにおける多重ＣＱＩ報告の方法、最も強い干渉セルのＣＲＳ構成情報を使用する方法、マクロセルにおけるＡＢＳ構成を用いた時間領域多重干渉測定、および干渉測定のための複数のリソースの組み合わせの方法などをさらに提供および／または使用することができる。
【００１３】
例示的実施形態によれば、干渉測定のためのシステムおよび／または方法が提供および／または使用されうる。たとえば、ＵＥは、ＩＭリソースに使用するための干渉測定方法によって構成されうる、かつ／または、ＵＥは、単一干渉タイプを計測するための複数のＩＭリソースおよび方法によって構成されうる。また、干渉信号に対応するＮＺＰ  ＣＳＩ−ＲＳリソースからの計測のためのプリコーダ仮定（Ｐｒｅｃｏｄｅｒ  ａｓｓｕｍｐｔｉｏｎ）が提供および／または使用されうる。さらに、それぞれが所望の信号または干渉信号に対応しうる、ＣＳＩ−ＲＳリソース（ＮＺＰまたはＩＭ）のリストに基づく一般化されたＣＳＩ報告構成が提供および／または使用されうる。さらにまた、サブフレームおよび周波数の関数としてＲＥ位置を変化させて系統的衝突を回避することが提供および／または使用されうる。
【００１４】
図１Ａから１Ｅは、１または複数の開示された実施形態が実装されうる例示的通信システム１００を示すブロック図である。通信システム１００は、音声、データ、ビデオ、メッセージング、同報通信などのコンテンツを複数のワイヤレスユーザに提供する多重アクセスシステムとされうる。通信システム１００は、ワイヤレス帯域幅を含むシステムリソースの共有を介してそのようなコンテンツに複数のワイヤレスユーザがアクセスすることを可能にすることができる。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、および単一キャリアＦＤＭＡ（ＳＣ−ＦＤＭＡ）などのうちの１または複数のチャネルアクセス方法を利用することができる。
【００１５】
図１Ａに示されるように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の個数のＷＴＲＵ、基地局、ネットワーク、および／またはネットワーク要素を企図することを認識されよう。ＷＴＲＵ１０２ａ、１０２ｂ、１０２ｃ、１０２ｄのそれぞれは、無線環境において動作および／または通信するように構成された任意のタイプのデバイスとすることができる。たとえば、ＷＴＲＵ１０２ａ、１０２ｂ、１０２ｃ、１０２ｄは、ワイヤレス信号を送信および／または受信するように構成され、ユーザ機器（ＵＥ）、移動局、固定または移動式の加入者ユニット、ページャ、セルラ電話、携帯情報端末（ＰＤＡ）、スマートフォン、ラップトップ、ネットブック、パーソナルコンピュータ、ワイヤレスセンサ、および家庭用電化製品などを含むことができる。
【００１６】
通信システム１００はまた、基地局１１４ａおよび基地局１１４ｂを含むことができる。基地局１１４ａ、１１４ｂのそれぞれは、コアネットワーク１０６、インターネット１１０、および／またはネットワーク１１２などの１または複数の通信ネットワークへのアクセスを容易にするためにＷＴＲＵ１０２ａ、１０２ｂ、１０２ｃ、１０２ｄのうちの少なくとも１つとワイヤレスでインターフェースするように構成された任意のタイプのデバイスとすることができる。たとえば、基地局１１４ａ、１１４ｂは、トランシーバ基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、および無線ルータなどとすることができる。基地局１１４ａ、１１４ｂはそれぞれ単一の要素として図示されるが、基地局１１４ａ、１１４ｂが、任意の個数の相互接続された基地局および／またはネットワーク要素を含むことができることは認識されよう。
【００１７】
基地局１１４ａは、ＲＡＮ１０４の一部とすることができ、基地局制御装置（ＢＳＣ）、無線ネットワーク制御装置（ＲＮＣ）、中継ノードなど他の基地局および／またはネットワーク要素（図示せず）を含むこともできる。基地局１１４ａおよび／または基地局１１４ｂは、セル（図示せず）と呼ばれうる特定の地理的領域内でワイヤレス信号を送信および／または受信するように構成されうる。セルは、セルセクタにさらに分割されうる。たとえば、基地局１１４ａに関連付けられたセルが３つのセクタに分割されうる。したがって、一実施形態では、基地局１１４ａは、３つのトランシーバ、たとえば、セルのセクタごとに１つのトランシーバを含むことができる。別の実施形態では、基地局１１４ａは、多入力多出力（ＭＩＭＯ）技術を利用して、セルのセクタごとに複数のトランシーバを利用することができる。
【００１８】
基地局１１４ａ、１１４ｂは、エアインターフェース１１６を介してＷＴＲＵ１０２ａ、１０２ｂ、１０２ｃ、１０２ｄのうちの１または複数と通信することができ、エアインターフェース１１６は、任意の適切なワイヤレス通信リンク（たとえば、無線周波数（ＲＦ）、マイクロ波、赤外線（ＩＲ）、紫外線（ＵＶ）、可視光など）とすることができる。エアインターフェース１１６は、任意の適切な無線アクセス技術（ＲＡＴ）を使用して確立されうる。
【００１９】
より具体的には、上記のように、通信システム１００は、多重アクセスシステムとすることができ、ＣＯＭＡ、ＴＤＭＡ、ＦＤＭＡ、ＯＦＤＭＡ、ＳＣ−ＦＤＭＡなどの１または複数のチャネルアクセス方式を利用することができる。たとえば、ＲＡＮ１０４における基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実装することができ、ＵＴＲＡは、広帯域ＣＯＭＡ（ＷＣＤＭＡ（登録商標））を使用してエアインターフェース１１６を確立することができる。ＷＣＤＭＡは、高速パケットアクセス（Ｈｉｇｈ−Ｓｐｅｅｄ  Ｐａｃｋｅｔ  Ａｃｃｅｓｓ：ＨＳＰＡ）および／または発展型ＨＳＰＡ（Ｅｖｏｌｖｅｄ  ＨＳＰＡ：ＨＳＰＡ＋）などの通信プロトコルを含むことができる。ＨＳＰＡは、高速ダウンリンクパケットアクセス（Ｈｉｇｈ−Ｓｐｅｅｄ  Ｄｏｗｎｌｉｎｋ  Ｐａｃｋｅｔ  Ａｃｃｅｓｓ：ＨＳＤＰＡ）および／または高速アップリンクパケットアクセス（Ｈｉｇｈ−Ｓｐｅｅｄ  Ｕｐｌｉｎｋ  Ｐａｃｋｅｔ  Ａｃｃｅｓｓ：ＨＳＵＰＡ）を含むことができる。
【００２０】
別の実施形態では、基地局１１４ａおよびＷＴＲＵ１０２ａ、１０２ｂ、１０２ｃは、発展型ＵＭＴＳ地上無線アクセス（Ｅｖｏｌｖｅｄ  ＵＭＴＳ  Ｔｅｒｒｅｓｔｒｉａｌ  Ｒａｄｉｏ  Ａｃｃｅｓｓ：ＥＵＴＲＡ）などの無線技術を実装することができ、ＥＵＴＲＡは、ロングタームエボリューション（ＬＴＥ）および／またはＬＴＥ−Ａｄｖａｎｃｅｄ（ＬＴＥ−Ａ）を使用してエアインターフェース１１６を確立することができる。
【００２１】
別の実施形態では、他の実施形態では、基地局１１４ａおよびＷＴＲＵ１０２ａ、１０２ｂ、１０２ｃは、ＩＥＥＥ８０２．１６（すなわち、マイクロ波アクセスのための世界的相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ：ＧＳＭ（登録商標））、ＧＳＭ発展用拡張データレート（Ｅｎｈａｎｃｅｄ  Ｄａｔａ  ｒａｔｅｓ  ｆｏｒ  ＧＳＭ  Ｅｖｏｌｕｔｉｏｎ：ＥＤＧＥ）、およびＧＳＭ  ＥＤＧＥ（ＧＥＲＡＮ）などの無線技術を実装することができる。
【００２２】
図１Ａの基地局１１４ｂは、たとえば、ワイヤレスルータ、Ｈｏｍｅ  Ｎｏｄｅ  Ｂ、Ｈｏｍｅ  ｅＮｏｄｅ  Ｂ、またはアクセスポイントとすることができ、職場、家庭、乗り物、およびキャンパスなどの局所的エリアにおけるワイヤレス接続性を促進するために任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＬＡＮ）を確立することができる。さらに別の実施形態では、基地局１１４ｂおよびＷＴＲＵ１０２ｃ、１０２ｄは、セルラベースのＲＡＴ（たとえば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接接続を有することができる。したがって、基地局１１４ｂは、コアネットワーク１０６を介してインターネット１１０にアクセスすることを必要としなくてよい。
【００２３】
ＲＡＮ１０４は、コアネットワーク１０６と通信することができ、コアネットワーク１０６は、音声、データ、アプリケーション、および／またはボイスオーバーインターネットプロトコル（ｖｏｉｃｅ  ｏｖｅｒ  ｉｎｔｅｒｎｅｔ  ｐｒｏｔｏｃｏｌ：ＶｏＩＰ）サービスをＷＴＲＵ１０２ａ、１０２ｂ、１０２ｃ、１０２ｄのうちの１または複数へ提供するように構成された任意のタイプのネットワークとすることができる。たとえば、コアネットワーク１０６は、呼制御、課金サービス、モバイル位置ベースのサービス、プリペイド通話、インターネット接続性、および／またはビデオ配信などを提供し、かつ／またはユーザ認証などの高水準セキュリティ機能を実行することができる。図１Ａには図示されていないが、ＲＡＮ１０４および／またはコアネットワーク１０６が、ＲＡＮ１０４と同じＲＡＴまたは異なるＲＡＴを利用する他のＲＡＮと直接または間接的に通信できることは認識されよう。たとえば、コアネットワーク１０６は、Ｅ−ＵＴＲＡ無線技術を利用しうるＲＡＮ１０４に接続されていることに加えて、ＧＳＭ無線技術を利用する別のＲＡＮ（図示せず）と通信していることもある。
【００２４】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイの役割をすることもできる。ＰＳＴＮ１０８は、基本電話サービス（ＰＯＴＳ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）、およびインターネットプロトコル（ＩＰ）などの一般的な通信プロトコルを使用する相互接続されたコンピュータネットワークおよびデバイスのグローバルなシステムを含むことができる。ネットワーク１１２は、他のサービスプロバイダによって所有および／または運営される有線または無線の通信ネットワークを含むことができる。たとえば、ネットワーク１１２は、１または複数のＲＡＮに接続された別のコアネットワークを含むことができ、ＲＡＮは、ＲＡＮ１０４と同じＲＡＴまたは異なるＲＡＴを利用することができる。
【００２５】
通信システム１００におけるＷＴＲＵ１０２ａ、１０２ｂ、１０２ｃ、１０２ｄの一部またはすべては、マルチモード機能を含むことができ、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含むことができる。たとえば、図１Ａに示されたＷＴＲＵ１０２ｃは、セルラベースの無線技術を利用できる基地局１１４ａ、およびＩＥＥＥ８０２無線技術を利用できる基地局１１４ｂと通信するように構成されうる。
【００２６】
図１Ｂは、例示的ＷＴＲＵ１０２のシステム図である。図１Ｂに示されるように、ＷＴＲＵ１０２は、プロセッサ１１８、トランシーバ１２０、送信／受信要素１２２、スピーカ／マイクロホン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺機器１３８を含むことができる。ＷＴＲＵ１０２が、実施形態と整合しながら上記の要素の任意の部分的組み合わせを含むことができることは認識されよう。
【００２７】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連付けられた１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および状態機械などでありうる。プロセッサ１１８は、信号符号化、データ処理、電力制御、入出力処理、および／またはＷＴＲＵ１０２がワイヤレス環境で動作することを可能にする任意の他の機能性を実行することができる。プロセッサ１１８はトランシーバ１２０に結合され、トランシーバ１２０は送信／受信要素１２２に結合されうる。図１Ｂではプロセッサ１１８およびトランシーバ１２０を別個のコンポーネントとして図示するが、プロセッサ１１８およびトランシーバ１２０は電子パッケージまたはチップ内に一体化されうることは認識されよう。
【００２８】
送信／受信要素１２２は、エアインターフェース１１６を介して基地局（たとえば、基地局１１４ａ）へ信号を送信しまたは基地局から信号を受信するように構成されうる。たとえば、一実施形態では、送信／受信要素１２２は、ＲＦ信号を送信および／または受信するように構成されたアンテナとすることができる。別の実施形態では、送信／受信要素１２２は、たとえばＩＲ信号、ＵＶ信号、または可視光信号を送信および／または受信するように構成されたエミッタ／検出器とすることができる。さらに別の実施形態では、送信／受信要素１２２は、ＲＦ信号と光信号の両方を送信し受信するように構成されうる。送信／受信要素１２２がワイヤレス信号の任意の組み合わせを送信および／または受信するように構成されうることは認識されよう。
【００２９】
さらに、図１Ｂでは単一の要素として送信／受信要素１２２が図示されているが、ＷＴＲＵ１０２は、任意の個数の送信／受信要素１２２を含むことができる。より具体的には、ＷＴＲＵ１０２はＭＩＭＯ技術を利用することができる。したがって、一実施形態では、ＷＴＲＵ１０２は、エアインターフェース１１６を介して無線信号を送信し受信するための２つ以上の送信／受信要素１２２（たとえば、複数のアンテナ）を含むことができる。
【００３０】
トランシーバ１２０は、送信／受信要素１２２によって送信される信号を変調し、送信／受信要素１２２によって受信された信号を復調するように構成されうる。前述のように、ＷＴＲＵ１０２はマルチモード機能を有することができる。したがって、トランシーバ１２０は、たとえば、ＵＴＲＡおよびＩＥＥＥ８０２．１１などの複数のＲＡＴを介してＷＴＲＵ１０２が通信することを可能にするための複数のトランシーバを含むことができる。
【００３１】
ＷＴＲＵ１０２のプロセッサ１１８は、スピーカ／マイクロホン１２４、キーパッド１２６、および／またはディスプレイ／タッチパッド１２８（たとえば、液晶ディスプレイ（ＬＣＤ）表示ユニットまたは有機発光ダイオード（ＯＬＥＤ）表示ユニット）に結合され、それらからユーザ入力データを受信することができる。プロセッサ１１８は、ユーザデータをスピーカ／マイクロホン１２４、キーパッド１２６、および／またはディスプレイ／タッチパッド１２８に出力することもできる。さらに、プロセッサ１１８は、非リムーバブルメモリ１３０および／またはリムーバブルメモリ１３２など任意のタイプの適切なメモリの情報にアクセスし、またそのメモリにデータを格納することができる。非リムーバブルメモリ１３０は、ランダムアクセスメモリ（ＲＡＭ）、読取り専用メモリ（ＲＯＭ）、ハードディスク、または任意の他のタイプのメモリストレージデバイスを含むことができる。リムーバブルメモリ１３２は、加入者識別モジュール（ＳＩＭ）カード、メモリスティック、およびセキュアデジタル（ｓｅｃｕｒｅ  ｄｉｇｉｔａｌ：ＳＤ）メモリカードなどを含むことができる。他の実施形態では、プロセッサ１１８は、サーバまたはホームコンピュータ（図示せず）上のようなＷＴＲＵ１０２に物理的に配置されていないメモリの情報にアクセスし、またそのメモリにデータを格納することができる。プロセッサ１１８は、電源１３４から電力を受け取ることができ、ＷＴＲＵ１０２における他のコンポーネントに対する電力を分配および／または制御するように構成されうる。電源１３４は、ＷＴＲＵ１０２に電力供給するための任意の適切なデバイスとすることができる。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３２】
プロセッサ１１８はまた、ＧＰＳチップセット１３６に結合されることができ、ＧＰＳチップセット１３６は、ＷＴＲＵ１０２の現在位置に関する位置情報（たとえば、経度および緯度）を提供するように構成されうる。ＧＰＳチップセット１３６からの情報に加えてまたはその代わりに、ＷＴＲＵ１０２は、エアインターフェース１１６を介して基地局（たとえば、基地局１１４ａ、１１４ｂ）から位置情報を受信し、かつ／または２つ以上の近くの基地局から信号が受信されるタイミングに基づいてその位置を決定することができる。ＷＴＲＵ１０２が実施形態と整合しながら任意の適切な位置決定方法によって位置情報を取得できることは認識されよう。
【００３３】
プロセッサ１１８は、さらに、他の周辺機器１３８に結合され、他の周辺機器１３８は、追加の特徴、機能性、および／または有線もしくは無線の接続性を提供する１または複数のソフトウェアモジュールおよび／またはハードウェアモジュールを含む。たとえば、周辺機器１３８は、加速度計、電子コンパス、衛星トランシーバ、（写真またはビデオ用）デジタルカメラ、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレイヤ、メディアプレイヤ、ビデオゲームプレイヤモジュール、およびインターネットブラウザなどを含むことができる。
【００３４】
図１Ｃは、実施形態によるＲＡＮ１０４およびコアネットワーク１０６のシステム図である。前述のように、ＲＡＮ１０４は、ＵＴＲＡ無線技術を利用して、エアインターフェース１１６を介してＷＴＲＵ１０２ａ、１０２ｂ、１０２ｃと通信することができる。ＲＡＮ１０４は、コアネットワーク１０６と通信することもできる。図１Ｃに示されるように、ＲＡＮ１０４はＮｏｄｅ−Ｂ１４０ａ、１４０ｂ、１４０ｃを含むことができ、Ｎｏｄｅ−Ｂ１４０ａ、１４０ｂ、１４０ｃはそれぞれ、エアインターフェース１１６を介してＷＴＲＵ１０２ａ、１０２ｂ、１０２ｃと通信するための１または複数のトランシーバを含むことができる。Ｎｏｄｅ−Ｂ１４０ａ、１４０ｂ、１４０ｃはそれぞれ、ＲＡＮ１０４内の特定のセル（図示せず）に関連付けられうる。ＲＡＮ１０４はまた、ＲＮＣ１４２ａ、１４２ｂを含むことができる。ＲＡＮ１０４が実施形態と整合しながら任意の個数のＮｏｄｅ−ＢおよびＲＮＣを含むことができることは認識されよう。
【００３５】
図１Ｃに示されるように、Ｎｏｄｅ−Ｂ１４０ａ、１４０ｂはＲＮＣ１４２ａと通信することができる。さらに、Ｎｏｄｅ−Ｂ１４０ｃがＲＮＣ１４２ｂと通信することができる。Ｎｏｄｅ−Ｂ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂのそれぞれは、それが接続されているそれぞれのＮｏｄｅ−Ｂ１４０ａ、１４０ｂ、１４０ｃを制御するように構成されうる。さらに、ＲＮＣ１４２ａ、１４２ｂのそれぞれは、外部ループ電力制御、負荷制御、アドミッション制御、パケットスケジューリング、ハンドオーバー制御、マクロダイバーシティ、セキュリティ機能、データ暗号化など他の機能性を実行またはサポートするように構成されうる。
【００３６】
図１Ｃに示すコアネットワーク１０６は、メディアゲートウェイ（ＭＧＷ）１４４、モバイル交換センター（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素のそれぞれはコアネットワーク１０６の一部として図示されるが、これらの要素のいずれか１つがコアネットワーク運営者以外のエンティティによって所有および／または運営されうることは認識されよう。
【００３７】
ＲＡＮ１０４内のＲＮＣ１４２ａは、ＩｕＧＳインターフェースを介してコアネットワーク１０６内のＭＳＣ１４６に接続されうる。ＭＳＣ１４６はＭＧＷ１４４に接続されうる。ＭＳＣ１４６およびＭＧＷ１４４は、ＷＴＲＵ１０２ａ、１０２ｂ、１０２ｃにＰＳＴＮ１０８などの回線交換網へのアクセスを提供して、ＷＴＲＵ１０２ａ、１０２ｂ、１０２ｃと従来の陸線通信デバイスとの間の通信を容易にすることができる。
【００３８】
ＲＡＮ１０４内のＲＮＣ１４２ａはまた、ＩｕＰＳインターフェースを介してコアネットワーク１０６内のＳＧＳＮ１４８に接続されうる。ＳＧＳＮ１４８はＧＧＳＮ１５０に接続されうる。ＳＧＳＮ１４８およびＧＧＳＮ１５０は、ＷＴＲＵ１０２ａ、１０２ｂ、１０２ｃにインターネット１１０などのパケット交換網へのアクセスを提供して、ＷＴＲＵ１０２ａ、１０２ｂ、１０２ｃとＩＰ対応デバイスとの間の通信を容易にすることができる。
【００３９】
前述のように、コアネットワーク１０６は、ネットワーク１１２に接続されることもでき、ネットワーク１１２は、他のサービスプロバイダによって所有および／または運営される他の有線または無線のネットワークを含むことができる。
【００４０】
図１Ｄは、実施形態によるＲＡＮ１０４およびコアネットワーク１０６のシステム図である。前述のように、ＲＡＮ１０４は、Ｅ−ＵＴＲＡ無線技術を利用して、エアインターフェース１１６を介してＷＴＲＵ１０２ａ、１０２ｂ、１０２ｃと通信することができる。ＲＡＮ１０４はまた、コアネットワーク１０６と通信することができる。
【００４１】
ＲＡＮ１０４はｅＮｏｄｅ−Ｂ１４０ａ、１４０ｂ、１４０ｃを含むことができるが、実施形態と整合しながら、ＲＡＮ１０４が任意の個数のｅＮｏｄｅ−Ｂを含むこともできることは認識されよう。ｅＮｏｄｅ−Ｂ１４０ａ、１４０ｂ、１４０ｃはそれぞれ、エアインターフェース１１６を介してＷＴＲＵ１０２ａ、１０２ｂ、１０２ｃと通信するための１または複数のトランシーバを含むことができる。一実施形態では、ｅＮｏｄｅ−Ｂ１４０ａ、１４０ｂ、１４０ｃはＭＩＭＯ技術を実装することができる。したがって、ｅＮｏｄｅ−Ｂ１４０ａは、たとえば、複数のアンテナを使用して、ＷＴＲＵ１０２ａへワイヤレス信号を送信し、またＷＴＲＵ１０２ａからワイヤレス信号を受信することができる。
【００４２】
ｅＮｏｄｅ−Ｂ１４０ａ、１４０ｂ、１４０ｃのそれぞれは、特定のセル（図示せず）に関連付けることができ、無線リソース管理の決定、ハンドオーバーの決定、ならびにアップリンクおよび／またはダウンリンクのユーザのスケジューリングなどを取り扱うように構成されうる。図１Ｄに示されるように、ｅＮｏｄｅ−Ｂ１４０ａ、１４０ｂ、１４０ｃはＸ２インターフェースを介して互いに通信することができる。
【００４３】
図１Ｄに示されるコアネットワーク１０６は、移動性管理ゲートウェイ（ＭＭＥ）１４２、サービングゲートウェイ１４４、およびパケットデータネットワーク（ＰＤＮ）ゲートウェイ１４６を含むことができる。上記の要素のそれぞれはコアネットワーク１０６の一部として図示されるが、これらの要素のいずれか１つがコアネットワーク運営者以外のエンティティによって所有および／または運営されうることは認識されよう。
【００４４】
ＭＭＥ１４２は、Ｓ１インターフェースを介してＲＡＮ１０４内のｅＮｏｄｅ−Ｂ１４０ａ、１４０ｂ、１４０ｃのそれぞれに接続され、制御ノードの役割をすることができる。たとえば、ＭＭＥ１４２は、ＷＴＲＵ１０２ａ、１０２ｂ、１０２ｃのユーザの認証、ベアラのアクティブ化／非アクティブ化、ＷＴＲＵ１０２ａ、１０２ｂ、１０２ｃの初期接続時の特定サービングゲートウェイの選択などを担当することができる。ＭＭＥ１４２は、ＲＡＮ１０４と、ＧＳＭやＷＣＤＭＡなど他の無線技術を利用する他のＲＡＮ（図示せず）との間の切替えのための制御プレーン機能を提供することもできる。
【００４５】
サービングゲートウェイ１４４は、Ｓ１インターフェースを介してＲＡＮ１０４内のｅＮｏｄｅ−Ｂ１４０ａ、１４０ｂ、１４０ｃのそれぞれに接続されうる。サービングゲートウェイ１４４は、一般に、ＷＴＲＵ１０２ａ、１０２ｂ、１０２ｃとの間でユーザデータパケットをルーティングおよび転送することができる。
【００４６】
サービングゲートウェイ１４４は、ｅＮｏｄｅ−Ｂ間のハンドオーバーの際にユーザプレーンを固定すること、ダウンリンクデータがＷＴＲＵ１０２ａ、１０２ｂ、１０２ｃに利用可能なときにページングをトリガすること、ＷＴＲＵ１０２ａ、１０２ｂ、１０２ｃのコンテクストを管理および記憶することなどのような他の機能を実行することもできる。
【００４７】
サービングゲートウェイ１４４はＰＤＮゲートウェイ１４６に接続することもでき、ＰＤＮゲートウェイ１４６がＷＴＲＵ１０２ａ、１０２ｂ、１０２ｃにインターネット１１０などのパケット交換網へのアクセスを提供して、ＷＴＲＵ１０２ａ、１０２ｂ、１０２ｃとＩＰ対応デバイスとの間の通信を容易にすることができる。
【００４８】
コアネットワーク１０６は、他のネットワークとの通信を容易にすることができる。たとえば、コアネットワーク１０６は、ＷＴＲＵ１０２ａ、１０２ｂ、１０２ｃにＰＳＴＮ１０８などの回線交換網へのアクセスを提供して、ＷＴＲＵ１０２ａ、１０２ｂ、１０２ｃと従来の陸線通信デバイスとの間の通信を容易にすることができる。たとえば、コアネットワーク１０６は、コアネットワーク１０６とＰＳＴＮ１０８の間のインターフェースの役割をするＩＰゲートウェイ（たとえば、ＩＰマルチメディアサブシステム（ＩＭＳ）サーバ）を含むか、またはそれと通信することができる。また、コアネットワーク１０６は、ＷＴＲＵ１０２ａ、１０２ｂ、１０２ｃにネットワーク１１２へのアクセスを提供することができ、ネットワーク１１２は、他のサービスプロバイダによって所有および／または運営される他の有線または無線ネットワークを含むことができる。
【００４９】
図１Ｅは、実施形態によるＲＡＮ１０４およびコアネットワーク１０６のシステム図である。ＲＡＮ１０４は、ＩＥＥＥ８０２．１６無線技術を使用してエアインターフェース１１６を介してＷＴＲＵ１０２ａ、１０２ｂ、１０２ｃと通信するアクセスサービスネットワーク（ａｃｃｅｓｓ  ｓｅｒｖｉｃｅ  ｎｅｔｗｏｒｋ：ＡＳＮ）とすることができる。以下でさらに論じるように、ＷＴＲＵ１０２ａ、１０２ｂ、１０２ｃ、ＲＡＮ１０４、およびコアネットワーク１０６のうちの異なる機能エンティティの間の通信リンクが基準点として定義されうる。
【００５０】
図１Ｅに示されるように、ＲＡＮ１０４は基地局１４０ａ、１４０ｂ、１４０ｃ、およびＡＳＮゲートウェイ１４２を含むことができるが、実施形態と整合しながら、ＲＡＮ１０４が任意の個数の基地局およびＡＳＮゲートウェイを含むことができることは理解されよう。基地局１４０ａ、１４０ｂ、１４０ｃは、ＲＡＮ１０４内の特定のセル（図示せず）にそれぞれ関連付けられ、エアインターフェース１１６を介してＷＴＲＵ１０２ａ、１０２ｂ、１０２ｃと通信するための１または複数のトランシーバをそれぞれ含むことができる。一実施形態では、基地局１４０ａ、１４０ｂ、１４０ｃはＭＩＭＯ技術を実装することができる。したがって、基地局１４０ａは、たとえば、複数のアンテナを使用して、ＷＴＲＵ１０２ａへワイヤレス信号を送信し、またＷＴＲＵ１０２ａからワイヤレス信号を受信することができる。基地局１４０ａ、１４０ｂ、１４０ｃはまた、ハンドオフトリガ、トンネル確立、無線リソース管理、トラフィック分類、サービス品質（ＱｏＳ）ポリシー施行などの移動性管理機能を提供することができる。ＡＳＮゲートウェイ１４２は、トラフィック集約点の役割をすることができ、ページング、加入者プロファイルのキャッシング、およびコアネットワーク１０６へのルーティングなどを担当することができる。
【００５１】
ＷＴＲＵ１０２ａ、１０２ｂ、１０２ｃとＲＡＮ１０４との間のエアインターフェース１１６は、ＩＥＥＥ８０２．１６仕様を実装するＲ１基準点として定義されうる。さらに、ＷＴＲＵ１０２ａ、１０２ｂ、１０２ｃのそれぞれが、コアネットワーク１０６との論理インターフェース（図示せず）を確立することができる。ＷＴＲＵ１０２ａ、１０２ｂ、１０２ｃとコアネットワーク１０６との間の論理インターフェースは、認証、許可、ＩＰホスト構成管理、および／または移動性管理に使用されうるＲ２基準点として定義されうる。各基地局１４０ａ、１４０ｂ、１４０ｃ間の通信リンクは、ＷＴＲＵのハンドオーバーおよび基地局間のデータの転送を容易にするプロトコルを含むＲ８基準点として定義されうる。
【００５２】
基地局１４０ａ、１４０ｂ、１４０ｃとＡＳＮゲートウェイ１４２との間の通信リンクは、Ｒ６基準点として定義されうる。Ｒ６基準点は、ＷＴＲＵ１０２ａ、１０２ｂ、１０２ｃのそれぞれに関連付けられた移動性イベントに基づく移動性管理を容易にするためのプロトコルを含むことができる。
【００５３】
図１１に示されるように、ＲＡＮ１０４はコアネットワーク１０６に接続されうる。ＲＡＮ１０４とコアネットワーク１０６の間の通信リンクは、たとえばデータ転送および移動性管理機能を容易にするプロトコルを含むＲ３基準点として定義されうる。コアネットワーク１０６は、モバイルＩＰホームエージェント（ＭＩＰ−ＨＡ）１４４、認証、許可、課金（ＡＡＡ）サーバ１４６、およびゲートウェイ１４８を含むことができる。上記の要素のそれぞれはコアネットワーク１０６の一部として図示されるが、これらの要素のいずれか１つがコアネットワーク運営者以外のエンティティによって所有および／または運営されうることは認識されよう。
【００５４】
ＭＩＰ−ＨＡは、ＩＰアドレス管理を担当することができ、ＷＴＲＵ１０２ａ、１０２ｂ、１０２ｃが異なるＡＳＮおよび／または異なるコアネットワーク間を移動することを可能にできる。ＭＩＰ−ＨＡ１４４は、ＷＴＲＵ１０２ａ、１０２ｂ、１０２ｃにインターネット１１０などのパケット交換網へのアクセスを提供して、ＷＴＲＵ１０２ａ、１０２ｂ、１０２ｃとＩＰ対応デバイスとの間の通信を容易にすることができる。ＡＡＡサーバ１４６は、ユーザ認証およびユーザサービスのサポートを担当することができる。ゲートウェイ１４８は、他のネットワークとの相互動作を容易にすることができる。たとえば、ゲートウェイ１４８は、ＷＴＲＵ１０２ａ、１０２ｂ、１０２ｃにＰＳＴＮ１０８などの回線交換網へのアクセスを提供して、ＷＴＲＵ１０２ａ、１０２ｂ、１０２ｃと従来の陸線通信デバイスとの間の通信を容易にすることができる。また、ゲートウェイ１４８は、ＷＴＲＵ１０２ａ、１０２ｂ、１０２ｃにネットワーク１１２へのアクセスを提供することができ、ネットワーク１１２は、他のサービスプロバイダによって所有および／または運営される他の有線または無線ネットワークを含むことができる。
【００５５】
図１Ｅには示されないが、ＲＡＮ１０４が他のＡＳＮに接続されうること、およびコアネットワーク１０６が他のコアネットワークに接続されうることは認識されよう。ＲＡＮ１０４と他のＡＳＮとの間の通信リンクは、ＲＡＮ１０４と他のＡＳＮとの間のＷＴＲＵ１０２ａ、１０２ｂ、１０２ｃの移動性を調整するためのプロトコルを含むことができるＲ４基準点として定義されうる。コアネットワーク１０６と他のコアネットワークとの間の通信リンクは、ホームコアネットワークと訪問先のコアネットワークとの間の相互動作を容易にするためのプロトコルを含むことができるＲ５基準として定義されうる。本明細書で使用されるとき、用語「ＵＥ」と「ＷＴＲＵ」は交換可能でありうる。
【００５６】
図２に示される表１は、ＬＴＥ／ＬＴＥ−Ａｄｖａｎｃｅｄシステムにおける例示的なＭＩＭＯ機能を列挙する。ＵＥチャネル環境にしたがってＭＩＭＯ性能を最適化するために、送信ダイバーシティモード、開ループ空間多重化モード、および閉ループ空間多重化モードを含めて最大９個の送信モードが利用されうる。ＭＩＭＯリンク適応のために、ＵＥは、たとえば、ＰＭＩ、ＲＩ、およびＣＱＩのうちの少なくとも１つを含むことができる複数の送信アンテナポートのチャネル状態情報（ＣＳＩ）を報告することができる。
【００５７】
ＭＩＭＯモード（たとえば、リリース８および９）は、同じ有効範囲を有する複数のｅＮＢが均一に分散されうる同種ネットワーク配置のために設計されうる。実施形態（たとえば、リリース１０）では、異種ネットワーク（たとえば、ホットスポットエリアをカバーするようにマクロセル内に位置付けられたピコセル）も、ＬＴＥ−Ａｄｖａｎｃｅｄ用のネットワーク配置シナリオとして考えることができる。図３に、ＬＴＥ−Ａｄｖａｎｃｅｄネットワーク配置シナリオによる例示的異種ネットワークが示されうる。
【００５８】
実施形態では、基準信号構造が提供および／または使用されうることを企図する。たとえば、実施形態では、基準信号は、ＵＥ固有基準信号（以下では「ＵＥ−ＲＳ」）とセル固有基準信号（ＣＲＳ）とに分類されうる。ＵＥ−ＲＳは、ＵＥに割当てられたリソースに対して（いくつかの実施形態では、おそらくはＵＥに割り当てられたリソースのみに対して）ＲＳが送信されうるように、特定のＵＥについて使用されうる。ＣＲＳはセル内のＵＥによって共有でき、したがって、ＣＲＳは広帯域形式で送信されうる。また、ＵＥ−ＲＳは、使用法、たとえば、復調ＲＳ（ＤＭ−ＲＳ）およびチャネル状態情報ＲＳ（ＣＳＩ−ＲＳ）によって差別化されうる。
【００５９】
実施形態では、ＤＭ−ＲＳが提供および／または使用されうることを企図する。１または複数の実施形態では、ＤＭ−ＲＳは、特定のＵＥについて使用することができ、ＲＳは通常、特にビームフォーミング利得を活用するためにプリコーディングされうる。ＤＭ−ＲＳはセル内で他のＵＥと共有できないために、ＵＥに割り当てられた共有された時間／周波数リソースでＤＭ−ＲＳが送信されうる。ＤＭ−ＲＳは復調目的で使用されうる。図４に示されるように、プリコーディングされたＤＭ−ＲＳが利用される場合、ＤＭ−ＲＳがデータシンボルに対して使用される同じプリコーディングによってプリコーディングされ、層の数Ｋに対応する同じ数のＤＭ−ＲＳ系列が送信されうる。層の数Ｋは、物理アンテナポートＮTと同じまたはそれより少なくてよい。
【００６０】
図４に示されるように、Ｋ個のストリームがＵＥに割り当てられるまたは複数のＵＥと共有されることが可能である。複数のＵＥがＫ個のストリームを共有できる場合、共同してスケジューリングされたＵＥが、同時に同じ時間および／または周波数リソースを共有することができる。
【００６１】
実施形態では、ＣＲＳが提供および／または使用されうることも企図する。１または複数の実施形態では、ＣＲＳは、セル内のＵＥに対して定義されてよく、復調および測定の目的で使用されうる。ＣＲＳはＵＥによって共有できるため、プリコーディングされないＣＲＳが、均一なセル範囲を維持するために利用されうる。プリコーディングされたＤＭ−ＲＳは、ビームフォーミングから生じる方向に応じて異なるセル範囲を有することができる。図５は、プリコーディングされないＣＲＳ送信のためのＭＩＭＯ送信機の例を示す。１または複数の実施形態では、物理アンテナポートの個数と論理アンテナポートが異なることがある場合、アンテナ仮想化が使用されうる。ＣＲＳ系列は、ストリームの個数に関わらずアンテナポートに対して送信されうる。
【００６２】
実施形態では、（たとえば、３ＧＰＰ  ＬＴＥ（リリース８および９）における）１または複数の基準信号（ＲＳ）構造が提供および／または使用されうることも企図する。図６は、ｅＮＢでの非コードブックベースの送信、および一層送信をサポートするためにＬＴＥで定義されたＤＭ−ＲＳ（たとえば、アンテナポート−５）を示す。アンテナポート−５はＣＲＳとともに送信されるため、ＲＳオーバーヘッドの合計がかなり増大することがある。
【００６３】
図７は、実施形態より企図される様々なアンテナポートに応じたＣＲＳ構造を示す。アンテナポートのいくつかまたはそれぞれについてのＣＲＳパターンは、時間および／または周波数領域において互いに直交しうる。図示のように、Ｒ０およびＲ１はそれぞれ、アンテナポート０およびアンテナポート１についてのＣＲＳを示す。特にＣＲＳアンテナポート間の干渉を回避するために、ＣＲＳアンテナポートが送信されうるＲＥに位置付けられたデータＲＥは、ミュートにされることができる。
【００６４】
１または複数の実施形態では、予め定義された系列（たとえば、擬似ランダム（ＰＮ）およびＭ系列など）がダウンリンクＲＳによって多重化されて、セル間干渉を最小限にし、それによりＣＲＳからのチャネル推定精度を改善することができることを企図する。そのようなＰＮ系列は、サブフレームにおけるＯＦＤＭシンボルレベルにおいて適用されることができ、その系列は、セル−１０、サブフレーム番号およびＯＦＤＭシンボルの位置に応じて定義されうる。たとえば、ＣＲＳアンテナポートの個数は、ＰＲＢごとのＣＲＳを含むＯＦＤＭシンボルにおいて２とすることができ、ＬＴＥシステムにおけるＰＲＢの個数は６から１１０に変化しうる。この場合、ＲＳを含むＯＦＤＭシンボルにおけるアンテナポートに対するＣＲＳの総数は、系列長が２×ＮRBであるべきことを示唆しうる２×ＮRBでありうる。ここで、ＲＢは帯域幅に対応するＲＢの個数を示すことができ、系列は２進数または複素数でありうる。系列ｒ（ｍ）は、次の複素系列を示すことができる。
【００６５】
【数１】
2020065263.tif 000003
【００６６】
式中、
【００６７】
【数２】
2020065263.tif 000004
【００６８】
は、ＬＴＥシステムにおける最大帯域幅に対応するＲＢの個数を表し、したがって、
【００６９】
【数３】
2020065263.tif 000005
【００７０】
は、上述のように１１０でありうる。ｃは、長さ３１を有するＰＮ系列を表すことができ、ゴールド系列によって定義されうる。ＤＭ−ＲＳが構成できる場合、次の式が使用されうる。
【００７１】
【数４】
2020065263.tif 000006
【００７２】
式中、
【００７３】
【数５】
2020065263.tif 000007
【００７４】
は、特定のＵＥに割り当てられたＲＢの個数を表すことができ、したがって、系列長は、ＵＥに割り当てられたＲＢの個数に応じて変化しうる。
【００７５】
実施形態では、（たとえば、３ＧＰＰ  ＬＴＥ−Ａにおける）１または複数の基準信号（ＲＳ）構造が提供および／または使用されうることを企図する。たとえば、ＲＳオーバーヘッド全体を減少させるために、（たとえば、リリース１０  ＬＴＥ−Ａにおいて）ＤＭ−ＲＳベースのダウンリンク送信が導入および／または提供されうる。ＣＲＳベースのダウンリンク送信が物理アンテナポートに対するＲＳ系例を送信するために使用できるため、層の個数と同じ個数のＲＳがＤＭ−ＲＳに使用できることを考慮すると、ＤＭ−ＲＳベースのダウンリンク送信がＲＳオーバーヘッドを減少させることができる。層の個数は、物理アンテナポートの個数と同じまたはそれより小さくてよい。図８は、例として通常のサブフレームについてのＰＲＢにおけるＤＭ−ＲＳパターンを示す。
【００７６】
図８に示されるように、２つのＣＤＭグループが、各ＣＤＭグループ内の最大４層を多重化するために使用されてよく、したがって、このパターンでは最大値として最大８層が多重化されうる。各ＣＤＭグループのＣＤＭ多重化のために、４×４ウォルシュ拡散が使用されうる。
【００７７】
ＤＭ−ＲＳが復調性能のために使用されうるため、時間および／または周波数スパース（ｓｐａｒｓｅ）ＣＳＩ−ＲＳも測定目的で導入および／または提供されうる。ＣＲＩ−ＲＳは、ＰＤＳＣＨ領域においてデューティサイクル｛５，１０，２０，４０，８０｝ｍｓで送信されうる。また、図９に示されるように、最大２０のＣＳＩ−ＲＳパターンの再使用が利用可能でありうる。図９では、（たとえば、同じパターン、網掛け、および階調などを有する）同様のタイプのＲＥは、ＣＳＩ−ＲＳ構成に対するＲＥの所与のセットの要素となりうるＲＥを指し示すことができる。
【００７８】
ＣＳＩ−ＲＳパターン再使用において、ＣＳＩ−ＲＳ構成は、ＵＥがＣＳＩを測定するための非ゼロ送信電力で使用され、最大１０の４ＴｘベースのＣＳＩ−ＲＳ構成が、ＵＥが復調を試みることがないゼロ送信電力で使用されうる。図１０の表２は、例示的なＣＳＩ−ＲＳ構成および付随するＰＲＢにおけるＣＳＩ−ＲＳ  ＲＥ位置を列挙する。
【００７９】
図２に定義されるように、ＣＳＩ−ＲＳパターンは、対応するＣＳＩ−ＲＳ構成番号に応じて識別されうる。図１１は、ＣＳＩ−ＲＳ構成番号に応じた例示的ＣＳＩ−ＲＳパターンを示す。
【００８０】
実施形態によれば、送信モードが提供および／または使用されうる。たとえば、図１２の表３は、（たとえば、ＬＴＥおよびＬＴＥ−Ａｄｖａｎｃｅｄシステムにおいて）定義されうる例示的な送信モードを列挙する。（たとえば、ＴＭ−７、８、および９を除く）送信モードは、復調と測定の両方にＣＲＳを使用することができる。ＴＭ−７および８については、ＤＭ−ＲＳが復調に使用されることがないが、ＣＲＳが測定のために使用されうる。ＴＭ−９は、復調および測定のためにＤＭ−ＲＳおよびＣＲＩ−ＲＳをそれぞれ使用することができる。
【００８１】
実施形態では、ＣＳＩフィードバックが提供および／または使用されうることも企図する。１または複数の実施形態では、ＰＵＣＣＨとＰＵＳＣＨなど２つのタイプの報告チャネルが使用されうる。ＰＵＣＣＨ報告チャネルは、限られたフィードバックオーバーヘッドを許容しながら、堅牢なＣＳＩフィードバックを提供することができる。ＰＵＳＣＨ報告チャネルは、より低い信頼性で大量のフィードバックオーバーヘッドを許容する。ＰＵＣＣＨ報告チャネルは、粗いリンク適応のための周期的ＣＳＩフィードバックのために使用され、ＰＵＳＣＨ報告チャネルは、より精密なリンク適応のために非周期的にトリガされうる。図１３の表４は、ＬＴＥ／ＬＴＥ−Ａにおける例示的な報告モードを列挙する。
【００８２】
実施形態では、ＣＳＩフィードバックが、ランク（ＲＩ）、プリコーダ行列インデックス（ｐｒｅｃｏｄｅｒ  ｍａｔｒｉｘ  ｉｎｄｅｘ：ＰＭＩ）、および／またはチャネル品質インジケータ（ＣＱＩ）の形式で報告されうることを企図する。ＲＩおよびＰＭＩは、ＵＥ受信機において、ＵＥスループットを最大限にする予め定期されたコードブックにおけるランクおよびプリコーディング行列を選択することによって計算されうる。ＰＭＩおよびＣＱＩは、広帯域、サブバンド、およびＵＥ選択されたサブバンドにさらに分類されうる。ＲＩは広帯域形式で報告される。図１４の表５は、送信モードに応じたＣＳＩフィードバックのさらなる詳細を示す。
【００８３】
周期的フィードバックは、ＰＵＣＣＨチャネルおよび／またはＰＵＳＣＨチャネル上で当該のチャネルが存在できるときに送信されうる。実施形態では、周期的報告は、異なるタイプのレポートの系列とすることができる。たとえば、以下のタイプ、すなわち、タイプ１：サブバンドＣＱＩ、タイプ２：広帯域ＣＱＩ／ＰＭＩ、タイプ３：ＲＩ、およびタイプ４：広帯域ＣＱＩなどが定義されうる典型的な報告系列が図１５に示すことができ、ここでは各長方形における数が上記のレポートタイプに対応する。
【００８４】
非周期的フィードバックは、ＣＱＩ要求ビットが設定されたとき、ＤＣＩフォーマット０またはＤＣＩフォーマット４によって要求されうる。さらに、それはＰＵＳＣＨ上で送信されうる。
【００８５】
（たとえば、ＬＴＥ  Ｒｅｌ−１０において）または複数の実施形態では、周期的ＰＵＣＣＨフィードバックのタイプが、たとえば、以下のような８つのＴｘアンテナポートにさらに拡張されうる。すなわち、タイプ１レポートは、ＵＥ選択されたサブバンドのＣＱＩフィードバックをサポートし、タイプ１ａレポートは、サブバンドＣＱＩおよび第２のＰＭＩフィードバックをサポートし、タイプ２、タイプ２ｂ、およびタイプ２ｃレポートは、広帯域ＣＱＩおよびＰＭＩフィードバックをサポートし、タイプ２ａレポートは、広帯域ＰＭＩフィードバックをサポートし、タイプ３レポートは、ＲＩフィードバックをサポートし、タイプ４レポートは、広帯域ＣＱＩをサポートし、タイプ５レポートは、ＲＩおよび広帯域ＰＭＩフィードバックをサポートし、タイプ６レポートは、ＲＩおよびＰＴＩフィードバックをサポートするなどである。
【００８６】
タイプ６レポートでは、８Ｔｘプリコーダが二重コードブックによって定義されうるため、プリコーディングタイプインジケータ（ｐｒｅｃｏｄｉｎｇ  ｔｙｐｅ  ｉｎｄｉｃａｔｏｒ：ＰＴＩ）が８つの送信アンテナポートに使用されうる。
【００８７】
（たとえば、リリース１１における）例示的実施形態によれば、ダウンリンクＭＩＭＯ強化の一部として新しい配置シナリオが考えられる。そのような配置の例を図１６に示すことができる。
【００８８】
分散されたＲＲＨ（たとえば、送信ポイントＴＰ）は、空間多重化利得がさらに活用されうるように別個のアンテナポートとみなされうる。また、地理的に分離されたアンテナポートが協働してＵＥスループットを増大することができる。
【００８９】
送信ポイントを有するマクロセルが、たとえば以下のシナリオで、前述の基準信号の使用に応じて様々な構成で展開されうる。
【００９０】
第１のシナリオ（たとえば、シナリオ１）では、ＣＲＳがマクロセルを含む送信ポイントから送信され、ＣＲＩ−ＲＳがＲＲＨから送信されうる。ＣＲＳアンテナポートの個数は、マクロノードにおけるアンテナポートの個数に依存しうる。
【００９１】
第２のシナリオ（たとえば、シナリオ２）では、ＣＲＳはマクロノードから送信され、ＣＲＳ−ＲＳは分散されたＲＲＨから送信されうる。
【００９２】
ＣＳＩ報告のための干渉測定が提供および／または使用されうる。たとえば、ＣＳＩ（たとえば、ＣＱＩ、ＰＭＩおよびＲＩ）を報告するために、ＵＥが干渉を測定することができる。干渉測定が不正確なことがある場合、ＵＥは、ＵＥスループットが不正確なリンク適応によって低下することがないように悲観的／楽観的ＣＱＩおよび／またはＲＩを報告することができる。悲観的ＣＱＩおよびＲＩが報告されることがある場合、ＵＥの実際のチャネル状態がより高いランクおよびＭＣＳに適切でありうるときにもかかわらず、より低いランクおよびＭＣＳがＵＥに使用されて、スループット性能の損失をもたらすことがある。例示的実施形態では、楽観的ＣＱＩおよび／またはＲＩレポートが、リソース利用率の低下をもたらす頻繁な再送信をもたらすことがある。より精密なリンク適応を可能にすることによってシステムスループットを最適化するために正確な干渉計測が使用されうる。
【００９３】
実際の干渉測定器は、基準信号（ＲＳ）からアンテナあたりのチャネル推定を獲得し、ＲＳ位置におけるサービングセル信号を抜き取って干渉共分散推定および平均化を実行することができる。少なくとも２つのタイプの干渉測定が、たとえばＵＥ受信機で実行されうる。復調のために、ＵＥが受信機における干渉抑圧合成（ｉｎｔｅｒｆｅｒｅｎｃｅ  ｒｅｊｅｃｔｉｏｎ  ｃｏｍｂｉｎｉｎｇ：ＩＲＣ）利得を活用できるようにＵＥがＤＭ−ＲＳからセル間干渉（ＩＣＩ）を推定することができる。ＤＭ−ＲＳが局在化された形で送信されうるため、そのような測定されたＩＣＩは、一般にＣＳＩ報告のために受け入れられないおそれがある。また、ＵＥがスケジューリングできるとき、ＤＭ−ＲＳからの干渉測定は利用可能でありうる。上記の観点から、ＣＳＩについての干渉測定はむしろ、（前述のように広帯域形式で周期的に送信されうる）ＣＲＳから獲得されうる。
【００９４】
実施形態では、１または複数のＣＲＳ再使用パターンを企図する。ＣＲＳは、干渉測定のためのいくつかのサンプルを提供する。図７に示されるように、８つのＲＥがＣＲＳポート｛０，１｝のそれぞれに使用され、４つのＲＥがＣＲＳポート｛２，３｝のそれぞれに使用されうる。したがって、たとえば、ｅＮＢが４つのＣＲＳポートをサポートするとき、ＲＢにおいて２４個のＲＥが利用可能である。ＣＲＳは、システム内で構成された一部またはすべてのダウンリンクＰＲＢ、およびＭＢＳＦＮサブフレームを除く一部またはすべてのダウンリンクサブフレームにおいて送信されうる。その結果、ＣＲＳの密度は、ＵＥがＩＣＩを測定するために許容できるレベルである。
【００９５】
Ｒｅｌ−８／９では、同種ネットワークのシナリオのみがシステム設計で考慮された。結果として、サポートされるＣＲＳ再使用パターンの個数は、単一アンテナポートおよび複数アンテナポートについてそれぞれ最大６つおよび３つとされうる。干渉セルの個数は同種ネットワークでは比較的小さくなりうるため、ＣＲＳ再使用パターンの個数は、そのような同種ネットワークにおける干渉測定のために許容可能にすることができる。異種ネットワークでは、干渉セルの個数はかなり増大することがある。その結果、多重アンテナの場合のＣＲＳの３つの再使用パターンは、ＵＥが正確にＩＣＩを測定するためには不十分な数となりうる。
【００９６】
また、干渉測定のためのＣＲＩ−ＲＳが提供および／または使用されうる。ＣＲＩ−ＲＳは、異種ネットワーク内の干渉セル間の直交性を維持するために十分な個数の再使用パターンを提供することができる。たとえば、ＣＲＩ−ＲＳは、１Ｔｘおよび２Ｔｘ層のサブフレームにおいて最大２０個の再使用パターンを提供することができ、デューティサイクルが増大するに従って再使用パターンの個数が増大することができる。ＣＲＩ−ＲＳポート（たとえば、ポート０から４）は、ＣＲＩ−ＲＳおよび／またはＣＲＳが同じ干渉を受けることをＵＥが仮定できないように、アンテナポート（たとえば、ポート１５から２２）と論理的に異なるように定義されうる。したがって、ＵＥがＣＳＩフィードバックのためにＣＲＳを参照するＭＩＭＯモードについて構成されうるとき、ＣＳＩ−ＲＳは干渉測定に十分に適合していないおそれがある。
【００９７】
前述のように、送信モード９（ＴＭ９）は、ＣＳＩ報告のためにＣＲＩ−ＲＳを使用することができる。ＵＥがＴＭ−９について構成されうるとき、ＣＳＩ−ＲＳは干渉測定のために使用されうる。４Ｔｘ  ＣＳＩ−ＲＳが構成されうる場合に４つのＲＥがＲＢにおいて利用可能にできるように、ＣＳＩ−ＲＳはＲＢにおいてポートあたり１つのＲＥを提供することができる。さらに、干渉共分散の時間平均化が特定の時間領域に限定できるように、ＣＳＩ−ＲＳがデューティサイクル｛５，１０，２０，４０，８０｝で送信される。時間／周波数ＣＳＩ−ＲＳサンプルの数が限られているため、ＣＲＩ−ＲＳからの干渉測定が不正確となることがある。図１７に示されるように、１つのＲＥ  ＣＳＩ−ＲＳサンプルの干渉測定誤差は、２つのＲＥ  ＣＳＩ−ＲＳサンプルのものと比べて低下されうる。
【００９８】
実施形態では、１または複数の分散されたアンテナベースのネットワークが提供および／または使用されうることを企図する。分散されたアンテナベースのネットワークでは、図１６に示されるように、アンテナポートのサブセット（たとえば、リモート無線ヘッド）がＵＥに対する多重アンテナ送信に関与し、他のアンテナポートが同時に別のＵＥに使用されうるため、干渉測定が有用でありうる。ＵＥは、干渉測定のために、別のＵＥに使用されるアンテナポートからの信号を考慮に入れることができる。ＣＲＳはマクロおよびＲＲＨを含む送信ポイントのそれぞれで送信されるべきであるため、ＣＲＳはＲＲＨのうちの１つを別のものと区別できないことがある。ＣＲＩ−ＲＳポートは、ＲＲＨのそれぞれについて別個に定義され、チャネルおよび干渉測定に使用されうる。前述のように、１または複数の実施形態では、スパースＣＲＩ−ＲＳパターンが干渉測定の正確さを保証しえないことを企図する。また、他のＵＥの測定性能を保証するためにゼロ出力ＣＲＩ−ＲＳが使用されうる場合、干渉がＣＲＩ−ＲＳ位置で測定されないことがある。
【００９９】
従来のＨｅｔＮｅｔシナリオ（たとえば、マクロおよびピコがそれら自体のセルＩＤを有することができる）とは異なり、分散されたＭＩＭＯシステム（たとえば、ＬＴＥ  Ｒ−１０分散ＭＩＭＯシステム）では、同じセルＩＤがマクロセルおよびそのＲＲＨの間で共有されうる（「地理的に分離されたアンテナを有する配置シナリオ」としても知られる）。上述のように、ｅＮＢは、ＵＥをＰＲＣ構成／再構成を通してその最も好ましい（１または複数の）ＴＰについてのＣＰＩを報告するように構成することができる。ＣＳＩ−ＲＳパターン構成は、ＵＥスループットなどいくつかの性能行列を最大化するように選択されうる。また、そのようなシナリオでは、ＵＥが複数のタイプのＣＳＩを報告できることが有用なことがあり、ここでＣＳＩの各タイプは、特定のＴＰからの送信が干渉に寄与するか否かについての異なる仮定に対応することができる。そのような柔軟性は、２つのＴＰからのジョイント送信（ｊｏｉｎｔ  ｔｒａｎｓｍｉｓｓｉｏｎ）、第２のＴＰからの送信なしの第１のＴＰからの送信、または第２のＴＰから別のＵＥへの送信をしながらの第１のＴＰからの送信のような異なるタイプの送信に使用するための適切な送信パラメータに関する情報を、ネットワークに提供するために有用なことがある。そのような実施形態では、異なる送信仮定に対応する異なるタイプの干渉を推定する機能が提供および／または使用されうる。
【０１００】
地理的に分離されたアンテナを有する配置シナリオにおいて異なるタイプの干渉を推定することを本明細書に説明することができる。ＵＥが同じマクロセル内を移動しているとき、ＵＥがＣＱＩを報告している可能性がある（１または複数の）ＴＰは、ＵＥにサービスする適切な（たとえば、最良の）（１または複数の）ＴＰであることを止めている可能性がある。選択された（１または複数の）ＴＰの再構成が使用されうる。再構成を使用することの代替として、ＵＥは、どの（１または複数の）ＴＰを測定およびＣＳＩフィードバックのために関連付けるかを自律的に選択することができる。実施形態では、ＵＥがどの（１または複数の）ＴＰにそれが関連付けられるまたは関連付けられているかを示す表示を提供することを可能にしうる方法が、提供および／または使用されうる。
【０１０１】
分散されたＭＩＭＯシステムのためにＴＰ選択および報告が提供および／または使用されうる（たとえば、地理的に分離されたアンテナを有する配置シナリオ）。ＭＵ−ＭＩＭＯの導入により純粋なＳＵ−ＭＩＭＯが（たとえばＲｅｌ−１０の後）存在できないことがあるので、ｅＮＢスケジューラには、同じ送信リソースを共有する複数のユーザのため、干渉軽減をサポートするのに負担がかかり過ぎることがある。１つの方法または技法は、たとえば、セルごとのチャネル量子化に基づく限られたフィードバックを用いたマルチセルゼロフォーシングビームフォーミング（ｚｅｒｏ−ｆｏｒｃｉｎｇ  ｂｅａｍｆｏｒｍｉｎｇ：ＺＦＢＦ）を使用することを含むことができる。
【０１０２】
（たとえば、Ｒｅｌ−８／９／１０における）１または複数の実施形態では、プリコーダ行列インジケータ（ＰＭＩ）、または局所チャネルでありうるチャネル方向情報（ｃｈａｎｎｅｌ  ｄｉｒｅｃｔｉｏｎ  ｉｎｆｏｒｍａｔｉｏｎ：ＣＤＩ）に対するそれの等価物（たとえば、同じセル内でありうるＢＳと移動局（ＭＳ）の間のチャネル）、および交差チャネルのそれ（異なるセル内でありうるＢＳとＭＳの間のチャネル）が、提供および／または使用されうる。（たとえば、Ｒｅｌ−８／９／１０における）限られたフィードバック情報により、それがＳＵ−ＭＩＭＯとＭＵ−ＭＩＭＯの両方についてレート損失を引き起こすことがある。（たとえば、Ｒｅｌ−１０における）ＭＵ−ＭＩＭＯは単一送信ポイントで考慮できるため、１つのｅＮＢからＵＥへの平均チャネルエネルギーが、同じ送信リソースによって共有された送信されたデータについて同じでありうる。これは、ＤＬ  ＭＩＭＯ（たとえば、実装されたまたは実際のＤＬ  ＭＩＭＯ）について当てはまらないまたは真ではないとされうる。その理由は、分散されたＭＩＭＯチャネルの固有の特徴が非対称でありうるからであり、それは、異なるＴｘポイントから１つのＵＥへの平均チャネルエネルギーが異なりうることを示すことができる。したがって、レート損失は、単一セルＭＵ−ＭＩＭＯのレート送信を支配することができる因子に依存することがある。これらの因子は、ＣＳＩ量子化誤差、送信アンテナの個数、および受信ＳＮＲなどを含むことができる。レート損失はまた、ペアにされたＵＥの位置に依存することがある。限られたフィードバックによってもたらされたＵＥの性能損失は、そのペアにされたＭＳがそれらのサービングｅＮＢの近くに位置できるときに軽減されうる。これは、このＵＥがセル端に位置しえないときに当てはまる（たとえば、真である）ことが可能である。
【０１０３】
干渉測定に使用されうるリソースの計画を本明細書に開示することができる。実施形態では、ＵＥがリソース要素のセット（または干渉測定リソース）からの測定を推定するように構成されうるとき、他のセルまたは送信ポイントにおける送信から生じる干渉をできる限り近く捕捉しうる。これは、ネットワークが一般に、２つの近接して対にされたセルまたはポイントにおける干渉測定リソースの構成がリソース要素の共通のサブセットを系統的に使用することを回避しうることを意味する。１または複数の実施形態は、系統的衝突を回避するためにＣＳＩ−ＲＳリソース（たとえば、Ｒｅｌ−１０  ＣＳＩ−ＲＳリソース）内のリソース要素の間でランダムホッピング（ｒａｎｄｏｍ  ｈｏｐｐｉｎｇ）を適用することができる。しかし、依然として、隣接するポイントの間の衝突が時としてある可能性がある。
【０１０４】
ＣＳＩフィードバックはＭＩＭＯ性能に影響を及ぼすことがある。たとえば、ＵＥにおけるランク測定が提供および／または使用されうる。ランク報告に関係する問題は、報告されたランクとｅＮＢスケジューラにより選択された意図されたランクとの間の潜在的な不一致を含むことがある。いくつかの場合、ｅＮＢは、ＭＵ−ＭＩＭＯ動作を用いることを決定することができ、したがって、低いランクの送信に関する正確なチャネル情報をＵＥが報告することを選好することがある。他の場合、ｅＮＢは、ＳＵ−ＭＩＭＯの使用を選好して、ＵＥがサポートしうる最も高い（たとえば、適応された）ランクを知ることを選好することがある。
【０１０５】
ＵＥとｅＮＢの間のランクの理解の不一致があるときに、ｅＮＢは、その意図された送信モード（たとえば、ＭＵ−ＭＩＭＯ対ＳＵ−ＭＩＭＯ）に対しての不正確なチャネル情報を使用することがある。この状況が（たとえば、ＬＴＥ使用の以前のリリースにおいて）以前から存在している間、この問題は配置シナリオによってはより深刻になることがある。さらに、ＵＥが、不正確な干渉測定のためにチャネルを過小評価し、関連付けられたより低いランクを有する低品質のチャネルを間違って報告する場合、ｅＮＢスケジューラは、ユーザのスループットを不必要に制限することがある。
【０１０６】
ＵＥの報告されたランクが、広帯域の非周期的レポートについて不正確なことがある。ランク報告の他の問題は、構成されたＣＳＩ−ＲＳ（ＣＲＳ）ポートのうちの１つおよびそのＲＳＲＰが支配的な場合に、ランクが１つに限られることがあり、したがって、ランク適応が実行できず、ＵＥのスループットが悪影響を受けるおそれがあることでありうる。
【０１０７】
実施形態では、提供および／または使用されうる１または複数の干渉測定技法を企図する。（たとえば、そのような干渉測定のための）実施形態によれば、リソース要素（ＲＥ）ミューティングが使用されうる。そのような実施形態では、ＵＥは、リソース要素（ＲＥ）の特定のセットにおいて受け取られたエネルギーを測定することによって、送信ポイントのセットにより発生された干渉を推定することができる。このセットのリソース要素において、ネットワークは、ＲＥのセットにおいて検出されたエネルギーが雑音および干渉を含むことができるように、所望の信号をＵＥに送信できる送信ポイントが送信しない（または「ミュートする」）ことが可能であることを確実にすることができる。いくつかの実施形態では、ネットワークはまた、他の送信ポイントがそれらのＲＥにおいて送信して、ＲＥのセットにおいて検出されたエネルギーがそれらの発生する干渉を含むようにすることを確実にすることができる。１または複数の実施形態では、空のリソース要素は、物理ダウンリンク共有チャネル（ＰＤＳＣＨ）シンボルを含まないそれらのリソース要素でありうる。
【０１０８】
一般性を損なうことなく、本明細書では、干渉測定の目的で使用されうるＲＥのセットは、「ＩＭ−ＣＳＩ−ＲＳ」（もしくは「干渉測定ＣＳＩ−ＲＳ」）または「干渉測定リソース」（ＩＭＲ）と呼ばれることがある。
【０１０９】
（たとえば、Ｒｅｌ−１０における）実施形態では、ゼロ出力ＣＳＩ−ＲＳ（たとえば、ＲＥミューティング）は、４Ｔｘ  ＣＳＩ−ＲＳパターンに基づく１６ビットビットマップゼロ出力ＣＳＩ−ＲＳによって構成されうる。ゼロ出力ＣＳＩ−ＲＳが構成されうる場合は、スケジューリングされた場合およびさらなるＵＥ挙動が定義されない場合に、ＵＥ（たとえば、Ｒｅｌ−１０  ＵＥ）がそのＰＤＳＣＨ復調プロセスにおいてＲＥの周囲でレートマッチングを行うことができるように、ＵＥはゼロ出力ＣＳＩ−ＲＳに構成されたＲＥを空のＲＥとみなすことができる。
【０１１０】
干渉測定向けのミュートにされたＲＥは、ゼロ出力ＣＳＩ−ＲＳの少なくともサブセットを含むことができる。具体的には、実施形態では、干渉測定向けのミュートにされたＲＥは、以下のうちの１または複数によって定義されうる。
【０１１１】
実施形態では、ミュートにされたＲＥは、ゼロ出力ＣＳＩ−ＲＳ構成のサブセットによって定義されうる。たとえば、４Ｔｘに基づいて複数のゼロ出力ＣＳＩ−ＲＳが構成されうるため、構成されたゼロ出力ＣＳＩ−ＲＳパターンのサブセット（たとえば、干渉測定ＣＳＩ−ＲＳ、ＩＭＩ−ＣＳＩ−ＲＳ、またはＩＭＲ）が干渉測定のために指定または構成されうる。例として、（おそらくは、たとえばリソース設定（ｒｅｓｏｕｒｃｅＣｏｎｆｉｇ）情報要素によって指定された）ＣＳＩ−ＲＳ構成｛１，２，３，４｝がゼロ出力ＣＳＩ−ＲＳに使用されうる場合、サブセット｛２｝は、干渉測定のためのＩＭＩ−ＣＳＩ−ＲＳとして構成されうる。ＵＥは、ＣＳＩＲＳ構成｛２｝が干渉測定およびおそらくはレートマッチング動作に使用できることを仮定することができ、また、他のゼロ出力ＣＳＩ−ＲＳ構成｛１，３，４｝を、ＵＥがレートマッチングを実行し測定動作を実行しない空のＲＥとみなすことができる。さらに、独立した１６ビットビットマップＩＣ／測定ＣＳＩ−ＲＳ（ＩＣ／ＭｅａｓｕｒｅＣＳＩ−ＲＳ）が、ＩＭ−ＣＳＩ−ＲＳ構成を示すためにより高い層のシグナリングで定義されうる。ＣＳＩ−ＲＳ構成がゼロ出力ＣＳＩ−ＲＳおよびＩＣ／測定ＣＳＩ−ＲＳと重なっている場合、ＵＥは、ＣＳＩ−ＲＳ構成をＩＭ−ＣＳＩ−ＲＳと仮定することができる。ゼロ出力ＣＳＩ−ＲＳパターンの１６個の候補のうちで、ＣＳＩ−ＲＳ構成が干渉測定に使用されうる。この場合、４ビットのより高い層のシグナリング、たとえば、リソース設定インデックスがＩＭ−ＣＳＩ−ＲＳパターンを示すために使用されうる。
【０１１２】
１または複数の実施形態では、ミュートにされたＲＥは、複数のＩＭ−ＣＳＩ−ＲＳまたはＩＭＲ構成によって定義されうる。たとえば、複数のタイプのＩＭ−ＣＳＩ−ＲＳが、タイプＡ、タイプＢなどとして構成され、または構成においてインデックス付けされることがある。ＵＥは、独立して複数のタイプの干渉を測定することができ、次いで、（たとえば、ＵＥが複数の報告タイプまたはＣＳＩプロセスを報告するように構成されうることを仮定して）報告タイプまたはＣＳＩプロセスに応じてそれらを適用することができる。ＩＭ−ＣＳＩ−ＲＳの各タイプは、たとえば、デューティサイクルおよびオフセット（リソース設定、サブフレーム設定（ｓｕｂｆｒａｍｅＣｏｎｆｉｇ））およびアンテナポートの個数を含む独立した構成を有することができる。
【０１１３】
マクロＵＥのためのオールモストブランクサブフレーム（ＡＢＳ）も、たとえば、ミュートにされたＲＥを定義するため、かつ／または干渉測定のために使用されうる。ＡＢＳサブフレームは、ＭＢＳＦＮサブフレームを使用することによって定義されうる。ＡＢＳサブフレームを使用できるマクロｅＮＢに接続されたＵＥは、ＡＢＳサブフレームにおけるＰＤＳＣＨ  ＲＥから干渉を測定することを仮定することができる。ＤＳＣＨ  ＲＥまたはＰＲＢのサブセットが干渉測定のために定義されうる。あるいは、ＡＢＳサブフレームのサブセットが干渉測定のために定義されうる。上記のサブセットのうちの１または複数は、より高い層のシグナリングを介して予め定義されかつ／または構成されうる。
【０１１４】
実施形態では、（たとえば、ミュートにされたＲＥを定義するために使用されうる、かつ／または干渉測定のために使用されうる）拡張されたダウンリンク制御チャネルのための予約されたＰＲＢのサブセットを企図する。拡張されたダウンリンク制御チャネル（たとえば、Ｅ−ＰＤＣＣＨ）は、たとえば図１８に示されるＰＤＳＣＨ領域においてＦＤＭを使用して定義されうる。予め定義されたＥ−ＰＤＣＣＨリソースにおいて、未使用のＥ−ＰＤＣＣＨリソース（たとえば、ＰＲＢおよび／またはＥ−ＣＣＥ）がｅＮＢによって指し示すことができ、ＵＥがそのようなリソースにおける干渉を推定することができる。ｅＮＢは、共通探索空間またはＵＥ固有探索空間のいずれかにおいてレガシＰＤＣＣＨから未使用のＥ−ＰＤＣＣＨリソースを指し示すことができる。さらに、Ｅ−ＰＤＣＣＨリソースのサブセットは、より高い層のシグナリングを介してｅＮＢによって干渉測定のために構成されうる。
【０１１５】
実施形態では、（たとえば、ミュートにされたＲＥを定義するために使用されうる、かつ／または干渉測定のために使用されうる）拡張ダウンリンク制御チャネルのために構成されたＰＲＢにおけるＥ−ＰＤＣＣＨ  ＲＥのセットを企図する。Ｅ−ＰＤＣＣＨ  ＲＥのセットは、たとえば図１９に示されるように干渉測定のために予約されうる。ＵＥは、すべてのＥ−ＰＤＣＣＨ  ＰＲＢ内のミュートにされたＲＥにおける干渉測定を測定することができる。ＣＰの長さがＦＤＤモードにおけるのと同じ場合、ミュートにされたＲＥは、同じ位置ですべてのＥ−ＰＤＣＣＨ  ＰＲＢにおいて定義されうる。相互排他的なミュートにされたＲＥ位置が、複数のセルおよび／または複数の送信ポイントにおいて使用されうる。たとえば、図１０では、ＲＥは干渉測定のためのミュートされたＲＥについて定義される。それらのうち、時間領域での連続した２つのＲＥがＲＥミューティングのセットとして定義される。したがって、干渉測定のためのミュートにされたＲＥの４つのセットが定義されうる。ＲＥミューティングセットのうちの１つは、セルまたは送信ポイントに対して構成されうる。ＲＥミューティングは、セル固有の様式で構成されることが可能であり、ＲＥミューティングが構成されない場合は、ＵＥが他のリソースからの干渉を測定することができる。
【０１１６】
実施形態では、（たとえば、ミュートにされたＲＥを定義するために使用されうる、かつ／または干渉測定のために使用されうる）レガシＰＤＣＣＨ領域における予約されたＣＣＥを企図する。たとえば、論理ＣＣＥのセットが干渉測定のために予約されうる。ｅＮＢは、ＵＥにセル間干渉を測定させるために論理ＣＣＥのセットのＲＥＧをミュートすることができる。干渉測定のための論理ＣＣＥのセットは、たとえば、特定のサブフレームにおいて構成されうる。
【０１１７】
１または複数の実施形態では、ＩＭ−ＣＳＩ−ＲＳまたはＩＭＲの代替的定義が提供および／または使用されうる。たとえば、ＵＥは、１または複数のＩＭ  ＣＳＩ−ＲＳまたはＩＭＲリソースによって構成されうる。各構成は、ＩＭ−ＣＳＩ−ＲＳまたはＩＭＲリソース上の干渉を測定するために異なる方法に基づくことができる。その構成は、より高い層のシグナリングによって提供されうる。シグナリングは、２つの要素、ＩＭ−ＣＳＩ−ＲＳまたはＩＭＲリソース、および推定方法の組み合わせとすることができる。さらに、ＵＥは、フィードバックに干渉推定の異なる組み合わせ（たとえば、総和）を与えるように構成されてよく、ここで各成分の干渉推定は同じまたは異なる推定方法によって取得されてよい。ＩＭリソースからの干渉寄与は、以下の少なくとも１つを使用して推定されうる。
【０１１８】
たとえば、ＩＭリソースからの合計または平均エネルギーの測定が使用されうる。そのような場合、（１または複数の）所望の送信ポイントは、ミュートにされたＵＥまたはゼロ出力（ＺＰ）ＣＳＩ−ＲＳ構成を、ＵＥに提供することができる。
【０１１９】
ＩＭリソースにおいて送信された非ゼロ出力（ＮＺＰ）ＣＳＩ−ＲＳ構成に加えられた雑音の推定および／または平均化が使用されうる。そのような場合、（１または複数の）所望の送信ポイントがＮＺＰ  ＣＳＩ−ＲＳをＵＥに提供することができ、干渉ポイントがそれらのリソース上でミューティングを適用することがない。ＵＥは、たとえば、ＣＳＩ−ＲＳのその推定の分散を決定し、それが干渉ポイントによって引き起こされたとみなすことができる。この方法はまた、（たとえば、ＩＭ  ＣＲＳを使用して）（１または複数の）所望の送信ポイントのＣＲＳ上の干渉を測定することに適用可能でありうる。
【０１２０】
（１または複数の）干渉ポイントから送信された既知のＮＺＰ  ＣＳＩ−ＲＳからの合計または平均エネルギーの測定が使用されうる。１または複数の実施形態では、ＵＥは、ＲＥにおけるこのＮＺＰ  ＣＳＩ−ＲＳからの受信された信号寄与を推定することができ、それは、これらのＲＥにおける他のソースからの雑音および干渉を含むことなく送信される。そのような場合、干渉とみなされえないポイントがそれらのリソース上にミューティング（またはＮＺＰ  ＣＳＩ−ＲＳ）を適用することができる。同等に、ＵＥは、（１または複数の）から送信されたＣＲＳからの合計または平均エネルギーを測定することができる。効果的な干渉測定のために、ＵＥは、（１または複数の）干渉ポイントに対応する「Ｐｃ」比（リソース要素あたりのエネルギーのＰＤＳＣＨ対ＣＳＩ−ＲＳ比）を考慮に入れることができる。同等に、ＵＥが干渉ポイントのＣＲＳ上の干渉を推定する場合、ＵＥは、「Ｐａ」および「Ｐｂ」比（たとえば、ＰＤＳＣＨ対ＣＲＳ比）を考慮に入れることができる。この目的（たとえば、干渉推定）でＵＥによって使用されうるＰｃの値は、ＣＳＩ−ＲＳが所望の信号を表すと仮定されうるとき、チャネル品質を推定する目的で提供される値と同じでありうる。あるいは、干渉推定の目的で使用されるＰｃの値（たとえば、Ｐｃ＿ｉｎｔ）が異なることで、別のＵＥを対象とする信号を送信するポイントからの受信された干渉が、同じＵＥを信号が対象としうる場合と異なる（たとえば、より小さい）ことをモデル化することができる。この理由は、別のＵＥへの送信のために使用されるプリコーダは、ＵＥが干渉を推定するために複数のアンテナ要素から送信された信号の非コヒーレントな組み合わせをもたらしうるためである。Ｐｃ＿ｉｎｔの値は、より高い層のシグナリングを介してネットワークによって直接提供されうる。あるいは、それは、固定されうるまたはより高い層のシグナリングを介してネットワークによって提供されうる（たとえば、線形ユニットで乗算するまたはｄＢユニットで加算する）補正因子ｆによってＰｃを調節することにより導出されうる。
【０１２１】
別の例では、ＵＥは複数のアンテナポートを介してエネルギーを入手することができる。平均は、各アンテナポートまたはアンテナポートのサブセットのエネルギーの関数（たとえば、加重平均）によって得ることができる。さらに、ＵＥは、特定のプリコーダが複数のアンテナポートを介して使用されうることを仮定することができる。プリコーダは、たとえば共同位相整合（ｃｏ−ｐｈａｓｉｎｇ）を有することがない固定または構成されたプリコーダとすることができる。プロセッサは、対応するＮＺＰ  ＣＳＩ−ＲＳリソースに対する報告されたＰＭＩに、それがＵＥのＣｏＭＰ測定セットの一部でありうる場合に対応することができる。インスタンスでのプリコーダは、プリコーダ値の予め構成されたサイクリングから得られる値でありうる。
【０１２２】
実施形態によれば、干渉ポイントのＮＺＰ  ＣＳＩ−ＲＳまたはＣＲＳからの合計または平均の受信された電力の測定が使用されうる。この方法の１つのそうした実現形態は、非送信ポイントで測定されたＲＳＲＰを再使用することでありうる。ＲＳＲＰは、ＣＳＩ−ＲＳ  ＲＳＲＰもしくはＣＲＳベースのＲＳＲＰまたは２つの組み合わせとすることができる。効果的な干渉測定のために、ＵＥは、（１または複数の）干渉ポイントに対応する「Ｐｃ」またはＰｃ＿ｉｎｔ比（リソース要素あたりのエネルギーのＰＤＳＣＨ対ＣＳＩ−ＲＳ比）を考慮に入れることができる。同等に、ＵＥが干渉ポイントのＣＲＳ上の干渉を推定する場合、ＵＥは、「Ｐａ」および「Ｐｂ」比（たとえば、ＰＤＳＣＨ対ＣＲＳ比）を考慮に入れることができる。ＵＥは、それぞれのポイントの基準信号出力をさらに考慮に入れることができ、複数のアンテナポートを介してＲＳＲＰ測定を入手することができる。平均は、各アンテナポートまたはアンテナポートのサブセットのＲＳＲＰの関数（たとえば、加重平均）によって得ることができる。さらに、特定のプリコーダが複数のアンテナポートを介して使用されうる。プリコーダは、たとえば共同位相整合を有することがない固定または構成されたプリコーダとすることができる。プリコーダは、対応するＮＺＰ  ＣＳＩ−ＲＳリソースに対する報告されたＰＭＩに、それがＵＥのＣｏＭＰ測定セットの一部でありうる場合に対応することができる。さらに、インスタンスでのプリコーダは、プリコーダ値の予め構成されたサイクリングから得られる値でありうる。
【０１２３】
ＣＳＩ−ＲＳパターン強化（ＣＳＩ−ＲＳ  Ｐａｔｔｅｒｎ  Ｅｎｈａｎｃｅｍｅｎｔ）が本明細書で説明されるように提供および／または使用されうる。前述のように、小さいＣＳＩ−ＲＳオーバーヘッドは干渉測定精度を低下させることがある。ＣＳＩ−ＲＳオーバーヘッドは、以下のように後方互換性を維持しながら増大させることができる。複数の非ゼロ出力ＣＳＩ−ＲＳ構成が、ＣＳＩ−ＲＳオーバーヘッドを増大させるために使用されうる。Ｎ個のＣＳＩ−ＲＳ構成がＵＥに対して構成されることが可能であり、ＵＥは、すべての非ゼロ出力ＣＳＩ−ＲＳ構成が同じＣＳＩ−ＲＳポートから送信されるとみなすことができる。たとえば、ＵＥに対してＣＳＩ−ＲＳ構成０および８が構成され、ＵＥは、ＣＳＩ−ＲＳ構成０からのポート０とＣＳＩ−ＲＳ構成１からのポート０とが同じＣＳＩ−ＲＳポートとされうると仮定することができる。
【０１２４】
Ｎは、たとえば５≧Ｎ≧１の範囲内の正の整数で予め定義されうる。Ｎは、ＣＳＩ−ＲＳ構成と一緒により高い層によって構成されうる。１、２、４Ｔｘ  ＣＳＩ−ＲＳ構成に関して、たとえば、図２０の表６で示されるように、ＣＳＩ−ＲＳ構成ペアは、シグナリングオーバーヘッドを最小限にし、かつ／またはＣＳＩ−ＲＳポートのための均等な周波数間隔を維持するように定義されうる。さらに、実施形態では、２ｘのより大きな数のＣＳＩ−ＲＳポートが非ゼロ出力送信によって構成されうる。
【０１２５】
ｅＮＢが４つのポート｛１５，１６，１７，１８｝をサポートすることができる場合、ｅＮＢは、ＵＥ（たとえば、Ｒｅｌ−１１  ＵＥ）に対して８ポートＣＳＩ−ＲＳパターンを構成することができる。そのような構成では、ＣＳＩ−ＲＳポートの個数は最大４Ｔｘまでサポートされうる。
【０１２６】
さらに、ＵＥは、たとえば、追加のＣＳＩ−ＲＳポート｛１９，２０，２１，２２｝を同じＣＳＩ−ＲＳポート｛１５，１６，１７，１８｝とみなすことができる。そのような構成では、ＣＳＩ−ＲＳポート｛１９，２０，２１，２２｝についてのＲＥ位置が、レガシＵＥに対するゼロ出力ＣＳＩ−ＲＳとして構成されて、ＣＳＩ−ＲＳポートからの干渉を回避することができる。さらに、特定のＣＳＩ−ＲＳポートのための均等な周波数間隔を維持するために、８ＴｘのＣＳＩ−ＲＳポートのそれぞれのＲＥ位置は、たとえば、図２１に示すようにすることができる。図示のように、ＣＳＩ−ＲＳポート｛０，４｝、｛１，５｝、｛２，６｝、および｛３，７｝は、Ｒｅｌ−１１  ＵＥからの同じＣＳＩ−ＲＳポートとみなされうる。
【０１２７】
実施形態によって、２ＲＥ／ポート／ＰＲＢオーバーヘッドを有するＣＳＩ−ＲＳポートごとの均等な周波数間隔を有する（たとえば、Ｒｅｌ−１１の）ＣＳＩ−ＲＳパターンが企図される。たとえば、レガシＣＳＩ−ＲＳパターンの２つのＣＳＩ−ＲＳ構成を使用して、２ＲＥ／ポート／ＰＲＢオーバーヘッドを有するＣＳＩ−ＲＳポートごとの均等な周波数間隔を有するＣＳＩ−ＲＳパターンを作成し、ＲＥミューティング（たとえば、ゼロ出力ＣＳＩ−ＲＳ構成）でのレガシの影響を回避することができる。このＣＳＩ−ＲＳパターンは、たとえば図２２に示されるように、ＣＳＩ−ＲＳポートの個数に応じて定義されうる。
【０１２８】
ＩＭリソース間の衝突の１または複数の発生が最小限にされうる。（たとえば、下記のような解決策を本明細書に説明する目的の）実施形態では、「干渉測定リソース要素インスタンス」（ＩＭ  ＲＥインスタンス）が、干渉測定の目的で使用される特定のサブフレームおよびリソースブロックにおける特定のリソース要素またはリソース要素のセットを指すために使用されうる。さらに「ＩＭサブフレーム」は、少なくとも１つのＩＭ  ＲＥインスタンスが存在するサブフレームを指すために使用されうる。ＵＥは、ＩＭサブフレームのセットにおいて干渉測定を実行する。
【０１２９】
実施形態では、「ＩＭ  ＲＥ位置」は、リソースブロックにおける特定のＩＭ  ＲＥの位置を指すために使用されうる。ＩＭ  ＲＥ位置の位置は、ＲＥの個数および構成インデックスなど少なくとも１つのパラメータの値によって指し示されうる。マッピングは、所与の個数のアンテナポートについての（たとえば、リリース１０におけるＣＳＩ−ＲＳリソースでの）ＲＥ位置のセットにＣＳＩ−ＲＳ構成インデックスをマップするために使用されるものと同様または同一でありうる。
【０１３０】
隣接する調整エリアにおける干渉を推定していることができるＵＥは、それぞれのＩＭ  ＲＥインスタンスの間の衝突の発生を最小限にして、それらの相互干渉の過小評価を回避させることができる。これを達成するための複雑な負担を軽減するために、以下の解決策が単独でまたは組み合わせて使用されうる。（たとえば、１つの解決策における）実施形態では、ＩＭ  ＲＥの位置は、場合によってはゴールド系列などの擬似ランダム系列に従ってまたはモジュロ関数など別の関数に従って、異なるＩＭサブフレームの間で変化されうる。（たとえば、別の解決策における）別の実施形態では、ＩＭ  ＲＥの位置は、異なる物理リソースブロック（ＰＲＢ）または仮想リソースブロック（ＶＲＢ）の間でやはり変化されうる。（たとえば、別の解決策における）別の実施形態では、ＩＭサブフレームのセットが、擬似ランダム系列または他の関数に従って（時間的に）分離されうる。たとえば、間隔は、固定された期間と擬似ランダム系列のオフセット関数または他の関数との合計でありうる。また、同じまたは異なる（１または複数の）擬似ランダム系列を使用することでこれらの解決策を組み合わせて、ＩＭ  ＲＥ位置およびＩＭサブフレーム間隔またはオフセットを変化させることも可能でありうる。
【０１３１】
擬似ランダム系列は、初期値に基づいて生成されてよく、この場合、一般に、異なるｃinit値の使用が異なる擬似ランダム系列をもたらす。したがって、ＩＭ  ＲＥインスタンスのいくつかの（たとえば、大きな数の）異なるセットが生成されてよく、この場合、ＩＭ  ＲＥインスタンスのセットが同じセットのＩＭ  ＲＥ位置およびＩＭサブフレームオフセットに基づいて定義されうるにもかかわらず、ＩＭ  ＲＥインスタンス間の系統的衝突（たとえば、同じサブフレームおよびリソースブロックにおける同じＩＭ  ＲＥ位置の使用）が回避されうる。異なる調整エリアにおけるＵＥに（たとえば、ｃinitで識別される）異なる系列を割り当てることによって、ＩＭ  ＲＥインスタンスの系統的衝突が回避または防止されうる。
【０１３２】
たとえば、所与のＩＭ  ＲＥインスタンスでのＩＭ  ＲＥ位置のセットは、０とＮ−１の間の値を取る構成インデックスｒによって識別されうる。ＩＭ  ＲＥインスタンスのセットは、次の式を使用して決定されうる。
【０１３３】
【数６】
2020065263.tif 000008
【０１３４】
式中、ｍは、同じＵＥのＩＭ  ＲＥインスタンス間で変化しうる量に対応することができる。たとえば、ｍは、
【０１３５】
【数７】
2020065263.tif 000009
【０１３６】
のような、フレーム番号ｎf、フレームにおけるスロット番号ｎs、またはサブフレーム番号の関数とすることができる。値ｍはまた、ＵＥによって使用されるＩＭサブフレームの系列に対するインデックスとすることもできる。たとえば、ｍは、
【０１３７】
【数８】
2020065263.tif 000010
【０１３８】
に従って決定することができ、式中、ＴIMおよびＤIMは、ＩＭサブフレームの周期性およびオフセットにそれぞれ対応することができる。これは、たとえば、ＩＭサブフレームのセットが式：
【０１３９】
【数９】
2020065263.tif 000011
【０１４０】
によって定義されうるときに成立できる。
【０１４１】
値ｍは、ＰＲＢの関数として変動を実現するように、ＰＲＢインデックスｎＰＲＢの関数とすることもできる。この場合、ｍは、たとえば、
【０１４２】
【数１０】
2020065263.tif 000012
【０１４３】
または、
【０１４４】
【数１１】
2020065263.tif 000013
【０１４５】
に従って決定することができ、式中、ＮRBDLはＰＢＲの総数としてよく、ｎＰＲＢはＰＲＢインデックスである。
【０１４６】
パラメータＴIMおよびＤIMは、準静的であり、より高い層のシグナリングを介してネットワークによって提供されうる。これは、ＩＭサブフレームの周期的発生をもたらすことができる。あるいは、ＩＭサブフレームタイミング（またはオフセット）の変動は、固定されたオフセットＤIM,fixおよび可変オフセットＤIM,varの合計としてＤIMの値を定義することによって実現することができ、ここで、可変オフセットは値０からＰ−１をとることができる。この場合、可変オフセットＤIMは、
【０１４７】
【数１２】
2020065263.tif 000014
【０１４８】
に従って決定することができる。式中、ｍは、上述の量のうちの１つ、たとえば、ＵＥによって使用されるＩＭサブフレームの系列に対するインデックス：
【０１４９】
【数１３】
2020065263.tif 000015
【０１５０】
に対応することができる。
【０１５１】
上記において、擬似ランダム系列ｃ（）は、初期値ｃinitによって初期化されうる。ｃinitの値は、以下の方法の少なくとも１つによって決定されうる。ｃinitの値は、より高い層のシグナリングを介してネットワークによって直接提供されうる。その値は、別個のＩＭリソース構成もしくは非ゼロ出力ＣＳＩ−ＲＳリソースの系列イニシエータを表すパラメータのような、セル識別子またはより高い層によって提供される他のパラメータの関数に対応する、またはそれから導き出されることが可能である。
【０１５２】
実施形態では、上述のようなゴールド系列を使用する代わりに、モジュロ関数を使用して、ＩＭ  ＲＥインスタンス間のＩＭ  ＲＥ位置の擬似ランダム変動を作り出すことも可能でありうる。上述のようにＩＭ  ＲＥ位置が構成インデックスｒによって指し示されうる場合、ｒは、ＩＭ  ＲＥ位置がｒ＝ｆ（ｉ，ｎＰＲＢ）として無作為化されうるように、少なくともサブフレーム番号ｉおよび／またはＰＲＢ番号ｎＰＲＢの関数として定義されうる。サブフレーム番号ｉ自体は、
【０１５３】
【数１４】
2020065263.tif 000016
【０１５４】
のようなフレーム番号ｎfおよびスロット番号ｎsの関数として表されうる。それは、物理セルＩＤまたはＵＥ固有パラメータＵＥ−ＩＤなどの識別パラメータを用いてさらに無作為化されうる。この場合、ＩＭ  ＲＥ位置は、ｒ＝ｆ（ｉ，ｎＰＲＢ，ｎＩＤ）の関数として定義することができ、ｎＩＤは、セルＩＤまたはＵＥ−ＩＤとすることができる。ＩＭ  ＲＥ位置がＰＲＢペアにおいて０からＮ−１でインデックス付けされると仮定して、次の式がＩＭ  ＲＥ位置を識別するために使用されうる。  
ｒ＝（Ａ・ｉ・ｎＩＤ＋ｎＰＲＢ）ｍｏｄＮ
式中、Ａは定数を表し、Ａ＝３９８２７として定義されうる。
【０１５５】
上述のようにＩＭ  ＲＥ位置またはサブフレームオフセットのセットを変化させることでＩＭ  ＲＥインスタンス間の系統的衝突を回避することができる（たとえば、ただし、互いに近接または非常に近接しうる調整されたエリアにおけるＵＥに関し（たとえば、同じサイトの異なるセクタ内のポイントに対応する調整されたエリアの場合）、そこでは、良好な性能を維持するためにインスタンスが与えられうるＩＭ  ＲＥの間で衝突がない）。これは、２つの異なるサブグループが同じ（１または複数の）ＩＭ  ＲＥ位置または同じＩＭ  ＲＥオフセットを含むことがない、ＩＭ  ＲＥ位置（および／またはＩＭ  ＲＥサブフレームオフセット）のサブグループを定義することによって実現されうる。たとえば、ＩＭ  ＲＥ位置のセットが、０と１９の間の値をとりうる構成インデックスｒによって表すことができる場合、１つのサブグループはＩＭ  ＲＥ位置０から４を含むことができ、第２のサブグループはＩＭ  ＲＥ位置５から９を含むことができ、以下同様でありうる。このスキームは、ネットワークが、隣接し調整されたエリア内のＵＥに異なるサブグループを割り当て、これらのＵＥのＩＭ  ＲＥインスタンス間の衝突を回避することを許容するまたは可能にすることができる。
【０１５６】
サブグループは、サブグループインデックスｇによって表されうる。サブグループインデックスｇは、以下の技法の少なくとも１つによって決定されうる。サブグループインデックスｇは、より高い層のシグナリングを介してネットワークによって直接提供されうる。サブグループインデックスｇは、別個のＩＭリソース構成もしくは非ゼロ出力ＣＳＩ−ＲＳリソースの系列イニシエータを表すパラメータのような、セル識別子（ΝcellID）またはより高い層によって提供される他のパラメータの関数に対応する、またはそれから導き出されることが可能である。たとえば、サブグループインデックスは、パラメータ：
【０１５７】
【数１５】
2020065263.tif 000017
【０１５８】
に対応することができる。この構成スキームは、ネットワーク計画が、近接して対にされたセルが異なるＶｓｈｉｆｔパラメータを有するように既に構成されうるように通常できるため、有益でありうる。
【０１５９】
上記の実施形態の１つを使用するとき、ＩＭ  ＲＥインスタンスが、ＣＳＩ報告のための所望の信号（たとえば、非ゼロ出力ＣＳＩ−ＲＳ）を推定する目的で別の基準信号が送信されうるＲＥインスタンスのような、別の目的で使用されるＲＥインスタンスと一致しうることが可能でありうる。また、ＲＥインスタンスが、ＵＥのための干渉測定に通常含まれることがない送信ポイントからの非ゼロ出力信号を送信するためにネットワークによって使用されうることも可能でありうる。
【０１６０】
１または複数の実施形態では、ＵＥは、別の基準信号が送信されうるＲＥインスタンスと一致しうるＩＭ  ＲＥインスタンスを干渉推定から除外することができる。ＵＥは、利用可能な場合、同じサブフレームおよび場合によっては先行のサブフレームにおいて残りの除外されないＩＭ  ＲＥインスタンスを平均化することによって干渉を推定することができる。ＵＥは、ＩＭサブフレームにおけるすべてのＩＭ  ＲＥインスタンスが除外される場合、最新のＩＭサブフレームから干渉推定を再利用することもできる。
【０１６１】
あるいはまたはさらに、１または複数の実施形態では、別の基準信号が送信されうるＲＥインスタンスと一致しうるＩＭ  ＲＥインスタンス上で干渉測定を実行することができるが、これらのＩＭ  ＲＥインスタンスにおいては別の干渉測定方法を使用することができる。たとえば、ＵＥは、ＲＥからの合計エネルギーを測定する代わりに、これら特定のＩＭ  ＲＥインスタンスにおける他の基準信号に加えられた雑音を推定することによって干渉を推定することができる。
【０１６２】
ＵＥは、上記の方法の１つに従って特別な処理を受けうるＩＭ  ＲＥインスタンスが、以下のＲＥインスタンス、すなわち、（ＣｏＭＰ測定セットにおける）ＣＳＩ報告のために構成された非ゼロ出力ＣＳＩ−ＲＳリソースに含まれるＲＥインスタンス、ＣｏＭＰリソース管理（ＣＲＭ）セットのために構成された非ゼロ出力ＣＳＩ−ＲＳリソースに含まれるＲＥインスタンス、および物理またはより高い層のシグナリングからネットワークによって指し示されるＲＥインスタンス（たとえば、これらのＲＥインスタンスは非ゼロ出力ＣＳＩ−ＲＳリソースの構成によって識別されうる）などのうちの１または複数を含むことを、決定することができる。
【０１６３】
実施形態では、ＵＥがＰＤＳＣＨ干渉なしにＣＳＩ−ＲＳを受信できる場合、ＵＥは隣接セルＣＳＩ−ＲＳから干渉を推定することができる。１または複数の実施形態では、干渉測定は、分散されたアンテナベースのネットワーク配置のための柔軟な干渉測定を提供することができる。たとえば、ＵＥはネットワーク内の複数の送信ポイントを見るが、送信ポイントのサブセットは、ＵＥのためのデータ送信に関わることができ、他方で残りの送信ポイントが他のＵＥにサービスできる。この場合、干渉送信ポイントは、あるサブフレームから別のものへ変更されうる。したがって、ＵＥは、いったん送信ポイントのセットが決定できると、干渉レベルを測定することができる。
【０１６４】
さらに、実施形態では、ＵＥは、異なる目的で、また本明細書に説明されるように複数の解決策または解決策の組み合わせを用いて、複数のタイプの干渉を推定することができる。干渉のタイプの以下の例の一部では、ＵＥの多地点協調送信セット（ｃｏｏｒｄｉｎａｔｅｄ  ｍｕｌｔｉｐｏｉｎｔ  ｔｒａｎｓｍｉｓｓｉｏｎ  ｓｅｔ：ＣｏＭＰ  ｓｅｔ）の概念が使用されうる。ＵＥのＣｏＭＰセット内の送信ポイントは、そこからＵＥが所望の信号を受信することができるポイント、および／またはその送信がＵＥへの干渉を最小限にするＣｏＭＰセットは、同じセルの一部（たとえば、同じセル固有基準信号を送信する）および／または異なるセルとなりうるポイントを含むことができる。
【０１６５】
干渉のタイプは、１）望ましくない信号はＣｏＭＰセット内のポイントから提供するかそれともＵＥのＣｏＭＰセットの外から提供するか、および／または、２）望ましくない信号はＵＥのサービングセルの一部であるポイントから提供するかそれともその一部でないポイントから提供するか、の少なくとも一方によって特徴付けられうる。
【０１６６】
以下の定義では、少なくとも干渉がＣＳＩ報告の目的で使用されうるとき、そこから所望の信号が送信されると仮定されうる（１または複数の）ポイントが、干渉に寄与していると仮定される送信ポイントのセットから除外されうる。
【０１６７】
たとえば、複数のタイプの干渉は、下記のタイプの少なくとも１つを含むことができる。１つのタイプは、ＵＥのＣｏＭＰセットの一部となりえない送信ポイントからの望ましくない信号を含むことができ、「ＣｏＭＰ外セット」干渉と呼ばれうるタイプ０干渉とすることができる。別のタイプは、送信ポイントからの望ましくない信号を含むことができ、「合計」干渉と呼ばれうるタイプ０Ａ干渉とすることができる。別のタイプは、ＵＥのサービングセルの一部となりうる送信ポイントからの望ましくない信号を含むことができるが、ＵＥのＣｏＭＰセットの一部となりえず、たとえば、「セル内、ＣｏＭＰ外セット」干渉と呼ばれうるタイプ１干渉とすることができる。別のタイプは、ＵＥのサービングセルの一部となりうる送信ポイントからの望ましくない信号（たとえば、ＵＥのサービングセルと同じでありうるセル固有基準信号を送信する）を含むことができ、「セル内干渉」と呼ばれうるタイプ１Ａ干渉とすることができる。別のタイプは、ＵＥのサービングセルの一部となりえず、かつＵＥのＣｏＭＰセットの一部となりえない送信ポイントからの望ましくない信号を含むことができ、「セル間、ＣｏＭＰ外セット」干渉と呼ばれうるタイプ２干渉とすることができる。
【０１６８】
別のタイプは、ＵＥのサービングセルの一部となりえない送信ポイントからの望ましくない信号（たとえば、ＵＥのサービングセルと異なりうるセル固有基準信号を送信する）を含むことができ、「セル間干渉」と呼ばれうるタイプ２Ａ干渉とすることができる。これは、ＣｏＭＰセットのポイントがＵＥのサービングセルの一部となりうる場合にタイプ２干渉に対応することができる。さらに別のタイプは、それからＵＥがＣｏＭＰセットについて構成されうるセルの協調クラスタの一部となりえないセルおよび／または送信ポイントからの望ましくない信号を含むことができるタイプ２Ｂ干渉とすることができる。これは、「クラスタ間干渉」と呼ばれうる。さらに、このタイプの干渉は、協調クラスタがＵＥのサービングセルの送信ポイントに対応するとき、タイプ２干渉に対応することができる。別のタイプは、単一の送信ポイントからの（または別の方法では、単一のＣＳＩ−ＲＳリソースからの）干渉を含むことができるタイプ３干渉とすることができる。これらのポイントは、ＵＥのＣｏＭＰセット、ＵＥの拡張ＣｏＭＰセット、協調セット、またはこれらのセットの組み合わせにおけるポイントであってよく、これらのセットのいずれになくてもよい。
【０１６９】
ＵＥのＣｏＭＰセット内から送信を除外することができる干渉のタイプ（たとえば、タイプ０、タイプ１、タイプ２）については、ＣｏＭＰセットのどのポイントがそれから所望の信号が送信されると仮定されうるポイントであるかに関わらず、干渉推定が同じになりうる。一方、ＵＥのＣｏＭＰセット内から送信を除外することができない干渉のタイプについては、干渉推定は、ＣＳＩが推定されるＣｏＭＰセットの特定のポイントに依存しうる。
【０１７０】
さらに、干渉のタイプの選択は、ＣＳＩ報告タイプ（たとえば、周期的ＣＳＩ報告もしくは非周期的ＣＳＩ報告）ならびに／またはＣＳＩ報告モード（たとえば、広帯域およびサブバンド）に依存しうる。
【０１７１】
上記のタイプの干渉のそれぞれは、少なくとも１つの干渉測定技法を用いて推定されうる。たとえば、タイプ２Ａ干渉（および、ＣｏＭＰセットのポイントがサービングセルの一部となりえない場合、タイプ２）は、セル固有基準信号（ＣＲＳ）で測定することによって推定されうる。干渉のタイプは、上記のＩＭの解決策のいずれかを用いて測定可能でありえる。ここで、ＵＥは、（場合によっては、所望の信号がどのポイントから送信されるかに依存して）異なるタイプの干渉に対して異なるセットのＩＭＣＳＩ−ＲＳならびに異なる干渉測定技法を使用していることができる。
【０１７２】
たとえば、ＵＥは、ＩＭ−ＣＳＩ−ＲＳからのタイプ１干渉、およびＣＲＳからのタイプ２干渉を推定することができる。タイプ１干渉測定では、ＵＥは、ＩＭ−ＣＳＩ−ＲＳが利用可能でありうるサブフレームのサブセットにおけるタイプ１干渉を推定することができる。他方で、ＵＥは、ＣＲＳを含むサブフレームにおけるタイプ２干渉の測定および平均化を続けることができる。
【０１７３】
別の例では、ＩＭ−ＣＳＩ−ＲＳからのタイプ１干渉、および非ゼロ出力ＣＳＩ−ＲＳからのタイプ２干渉を推定することができる。タイプ１干渉測定では、ＵＥは、ＩＭ−ＣＳＩ−ＲＳが利用可能でありうるサブフレームのサブセットにおけるタイプ１干渉を推定することができる。また、ＵＥは、非ゼロ出力ＣＳＩ−ＲＳを有するサブフレームのサブセットにおけるタイプ２干渉を推定することができる。
【０１７４】
別の例では、非ゼロ出力ＣＳＩ−ＲＳからのタイプ１干渉、およびＣＲＳからのタイプ２干渉を推定することができる。タイプ１干渉測定では、ＵＥは、非ゼロ出力ＣＳＩＲＳが利用可能でありうるサブフレームのサブセットのみにおけるタイプ１干渉を推定することができる。タイプ２干渉では、ＵＥは、ＣＲＳを含むサブフレームにおける干渉を測定することができる。
【０１７５】
別の例では、ＵＥは、ゼロ出力（ＺＰ）ＣＳＩ−ＲＳからのタイプ２干渉、および（１または複数の）干渉ポイントの非ゼロ出力（ＮＺＰ）ＣＳＩ−ＲＳからのタイプ３干渉を推定することができる。タイプ２干渉測定では、ＵＥは、ＺＰ  ＣＳＩ−ＲＳが利用可能でありうるサブフレームのサブセットにおけるタイプ２干渉を推定することができる。タイプ３干渉ごとに、ＵＥは、ＮＺＰ  ＣＳＩ−ＲＳを含むサブフレームにおける干渉を測定することができる。
【０１７６】
別の例では、ＵＥは、（１または複数の）所望の送信ポイントのＮＺＰ  ＣＳＩ−ＲＳからのタイプ２干渉、および（１または複数の）干渉ポイントのＮＺＰ  ＣＳＩ−ＲＳからのタイプ３干渉を推定することができる。タイプ２干渉測定では、ＵＥは、（１または複数の）送信ポイントのＮＺＰ  ＣＳＩ−ＲＳが利用可能でありうるサブフレームのサブセットにおけるタイプ２干渉を推定することができる。タイプ３干渉では、ＵＥは、ＮＺＰ  ＣＳＩ−ＲＳを含むサブフレームにおける干渉を測定することができる。
【０１７７】
別の例では、ＵＥは、（１または複数の）所望の送信ポイントのＮＺＰ  ＣＳＩ−ＲＳからのタイプ１干渉、および（１または複数の）干渉ポイントのＮＺＰ  ＣＳＩ−ＲＳからのタイプ３干渉を推定することができる。タイプ１干渉測定では、ＵＥは、（１または複数の）所望の送信ポイントのＮＺＰが利用可能でありうるサブフレームのサブセットにおけるタイプ１干渉を推定することができる。タイプ３干渉では、ＵＥは、ＮＺＰ  ＣＳＩ−ＲＳを含むサブフレームにおける干渉を測定することができる。
【０１７８】
別の例では、ＣＲＳを含むサブフレームは、ＰＤＣＣＨ領域とＰＤＳＣＨ領域の両方におけるＣＲＳを有するサブフレーム、または少なくともＰＤＣＣＨ領域におけるＣＲＳを有するサブフレームのどちらかとすることができる。
【０１７９】
別の例では、非ゼロ出力ＣＳＩ−ＲＳパターンは、図１１に示されるＣＳＩ−ＲＳパターン（たとえば、Ｒｅｌ−１０  ＣＳＩ−ＲＳパターン）または図２１および２２に示される拡張されたＣＳＩ−ＲＳパターンとすることができる。
【０１８０】
ＵＥは、ＣｏＭＰリソース管理（ＣＲＭ）セット内およびＣｏＭＰ測定セット外の干渉ポイントのＲＳＲＰ（ＣＲＳベースのＲＳＲＰまたはＣＳＩ−ＲＳベースのＲＳＲＰ）からのタイプ１干渉を推定することができる。これを達成するために、ポイントが同時にＣＲＭセットとＣｏＭＰ測定セットの両方に位置付けられうる場合に、ＵＥは、両方のセット内のポイントのマッピングによって構成されうる。そのような構成は、あるポイントがＣｏＭＰ測定セットにおいて構成されたものとは異なるＣＲＭセットにおけるＣＳＩ−ＲＳの構成を有することが可能であるため、使用されうる。
【０１８１】
さらに、ＵＥは、ＣＲＭセット内の干渉ポイントのサブセットのＲＳＲＰ（たとえば、ＣＲＳベースのＲＳＲＰまたはＣＳＩ−ＲＳベースのＲＳＲＰ）からのタイプ１干渉を推定することができる。
【０１８２】
異なるタイプの推定された干渉が、１）ＣＳＩフィードバック（たとえば、ＣＱＩ、ＰＭＩ、および／またはＲＩ）、計算、２）ＲＳＲＱ測定、および３）ＭＭＳＥ−ＩＲＣ受信機などのＰＤＳＣＨ復調などのうちの少なくとも１つについて使用されうる。
【０１８３】
ＣＳＩ報告が提供および／または使用されうる。たとえば、地理的に分離されたアンテナを有するシナリオなどいくつかの配置シナリオでは、所与の位置のＵＥは、複数のポイントからの所望の信号および複数のポイントからの望ましくない信号を潜在的に受け取る可能性があり、ここで、それぞれの場合のポイントは、ＵＥのサービングセルに属してもそうでなくてもよい。それに応じて、ＵＥは、ＵＥに送信していることができるポイントまたはポイントのセット、およびＵＥに対して干渉を生成しうるポイントまたはポイントのセットに関して、異なる仮定（または送信仮説）のもとでＣＳＩを報告するように構成されうる。したがって、ＵＥは、送信されうるＣＳＩの複数のタイプで使用するための複数の干渉推定値を推定することができる（いくつかの実施形態では、推定しなければならないことがある）。実施形態では、特定の送信仮説に対応する「ＣＳＩのタイプ」は、「ＣＳＩプロセス」または「ＣＳＩケース」と呼ばれることもある。
【０１８４】
１または複数の実施形態では、ＵＥは、ＵＥが報告しなければならないことがあるＣＳＩのタイプ（またはＣＳＩプロセス）ごとに、少なくとも１つの干渉測定リソース（ＩＭ−ＣＳＩ−ＲＳまたはＩＭＲ）のリストを明示的に提供されうる。次いで、ＣＳＩの各タイプ（またはＣＳＩプロセス）は、少なくとも１つの非ゼロ出力ＣＳＩ−ＲＳ構成（またはＣＳＩ−ＲＳリソース）、またはこのタイプのＣＳＩのための所望の信号を送信していると仮定される少なくとも１つのポイントに対応するＣＲＳリソース、および干渉を推定するための少なくとも１つのＩＭ−ＣＳＩ−ＲＳによって定義されうる。また、ＵＥが使用しうる干渉測定の（１または複数の）解決策、およびＩＭ−ＣＳＩ−ＲＳ（またはＩＭＲ）がゼロ出力リソースかそれとも非ゼロ出力リソースであるかが、構成の一部として、場合によってはＩＭ−ＣＳＩ−ＲＳ（またはＩＭＲ）ごとに指し示されうる。
【０１８５】
たとえば、ＵＥは、（構成の任意のインデックスを使用して）以下のセットのＣＳＩ、すなわち１）非ゼロ出力ＣＳＩ−ＲＳ構成＃１とＩＭ−ＣＳＩ−ＲＳ＃２７とを有するＣＳＩタイプ（またはＣＳＩプロセス）Ａ、２）非ゼロ出力ＣＳＩ−ＲＳ構成＃１とＩＭ−ＣＳＩ−ＲＳ＃２３とを有するＣＳＩタイプ（またはＣＳＩプロセス）Ｂ、ならびに３）非ゼロ出力ＣＳＩ−ＲＳ構成＃１および＃２とＩＭ−ＣＳＩ−ＲＳ＃２３とを有するＣＳＩタイプ（またはＣＳＩプロセス）Ｃを報告するように構成されうる。
【０１８６】
上記の例では、ＣＳＩタイプＡおよびタイプＢは、異なる干渉推定を有するポイント＃１からの単一ポイント送信に対応する。たとえば、場合によってはＩＭ−ＣＳＩ−ＲＳ＃２３に対応するＲＥにおいて、ＣＳＩタイプＢがポイント＃２からのミューティング仮定を有する単一ポイント送信に対応するように、ポイント＃２が送信していないことがある。ＣＳＩタイプＣｈａ，ポイント＃１および＃２からのジョイント送信に対応することができる。上記において、非ゼロ出力ＣＳＩ−ＲＳ（またはＣＲＳ）構成は一般的でありうる。それは、たとえば、サブフレーム構成、リソース構成、アンテナポートの個数、およびＰＤＳＣＨとＣＳＩ−ＲＳ  ＲＥの出力の比を示すパラメータなどを含むことができる。１または複数の実施形態では、それはまた、おそらくはＩＭＲ衝突回避技法が使用される場合に、ＩＭ  ＲＥおよび／またはサブフレームの位置の変動を決定する擬似ランダム系列の生成に使用されるパラメータのような、１または複数の追加のパラメータを含むこともできる。
【０１８７】
１または複数の実施形態では、以下のＩＭ−ＣＳＩ−ＲＳのセット、すなわち１）ＣｏＭＰセット内からの干渉がない仮定のもとで（たとえば、タイプ０）ＣＳＩを報告するのに適したＩＭ−ＣＳＩ−ＲＳのセット、および２）ＣＳＩＲＳ当たりのリソースが報告されうる非ゼロ出力ＣＳＩ−ＲＳリソース（またはＣＲＳリソース）ごとの、ＣｏＭＰセット内の他のポイントから干渉が生成されうる仮定のもとで（たとえば、タイプ０Ａ）ＣＳＩを報告するのに適したＩＭ−ＣＳＩ−ＲＳのセットなどのうちの少なくとも１つが、そのＣＳＩ報告構成の一部としてＵＥに提供されうる。
【０１８８】
そのような構成は、異なるタイプのＣＳＩを報告するための十分な柔軟性を提供することもできる。たとえば、ジョイント送信（および／またはＣｏＭＰセットの他のポイントからのミューティングを有する単一ポイント送信）についてのＣＳＩが、ＩＭＣＳＩ−ＲＳの共通のセットを使用して推定されうる一方、ミューティング仮定なしの単一ポイントまたは単一ＣＳＩ−ＲＳリソース送信についてのＣＳＩが、対応する非ゼロ出力ＣＳＩ−ＲＳリソースに関連付けられたＩＭ−ＣＳＩ−ＲＳのセットを使用して推定されうる。
【０１８９】
１または複数の実施形態では、ＵＥは、非ゼロ出力ＣＳＩ−ＲＳリソースまたはＣＲＳごとに、それを通じて（１または複数の）対応する送信ポイントがＰＤＳＣＨを送信することがないＲＥに対応する少なくとも１つのＩＭ−ＣＳＩ−ＲＳリソースを知ることができる。そのように構成された場合、ＵＥは、干渉測定の目的でＩＭ−ＣＳＩ−ＲＳリソースの対応するサブセットの共通部分を使用して、対応するポイントの所与のサブセットからのジョイント送信のＣＳＩを報告することができる。たとえば、ＵＥは、以下のＣＳＩ報告のための構成、すなわち、１）ＩＭ−ＣＳＩ−ＲＳ＃３、＃１０、＃１３、＃１５、＃１７、＃２０を有する非ゼロ出力ＣＳＩ−ＲＳ構成＃１、および／または２）ＩＭ−ＣＳＩ−ＲＳ＃３、＃１０、＃１３、＃１４、＃１６、＃１９を有する非ゼロ出力ＣＳＩ−ＲＳ構成＃２を提供されうる。
【０１９０】
ＵＥは、ＣＳＩ−ＲＳリソース＃１および＃２に対応するポイントからのジョイント送信に関する干渉を推定し、セット、たとえば＃３、＃１０、および＃１３の共通部分に対し測定をすることができる。ＵＥがＣＳＩ−ＲＳ当たりのリソース（またはポイント当たり）を報告しなければならないことがある場合、ＣＳＩがセットの他のポイントが干渉を発生していることを仮定し、ＵＥは、関連する非ゼロ出力ＣＳＩ−ＲＳリソースのための構成の一部となりうるが（１または複数の）他のリソースの構成の一部となりえないＩＭ−ＣＳＩ−ＲＳのサブセットに対し測定をすることができる。たとえば、ＵＥが＃２からのミューティングなしに＃１についてのＣＳＩ−ＲＳリソースあたりのＣＳＩを報告する場合、それは、上記の例におけるＩＭ−ＣＳＩ−ＲＳ＃１５、＃１７、および＃２０に対し測定をすることができる。
【０１９１】
別の例では、ＵＥは、ＮＺＰ  ＣＳＩ−ＲＳのリストおよびＩＭ−ＣＳＩ−ＲＳリソースのリストによって構成されうる。構成メッセージは、ＮＺＰ  ＣＳＩ−ＲＳリソースごとに仮定されうる可能な送信状態をＵＥに指し示すことができる。たとえば、ＮＺＰ  ＣＳＩ−ＲＳリソースＡおよびＢは、送信、ブランキング（ｂｌａｎｋｉｎｇ）、または干渉中とみなされうるポイントと結合されうる一方、ＮＺＰ  ＣＳＩ−ＲＳリソースＣは、ブランキングまたは干渉中でありうるポイントと結合されうる。そのようなシナリオでは、ＣＳＩフィードバック（またはＣＳＩプロセス）が、各構成されたＮＺＰ  ＣＳＩ−ＲＳ上の許容された仮定の組み合わせ、および構成された（１または複数の）ＩＭ  ＣＳＩ−ＲＳリソースに結合されうる。さらに、各ＩＭ  ＣＳＩ−ＲＳリソースは、ＵＥが潜在的に異なる様式でそれぞれについて干渉を得ることができるように異なるように構成されうる。そのような解決策では、ＮＺＰ  ＣＳＩ−ＲＳリソースのセットであって、各リソースが、可能な送信仮定のセット（たとえば、送信、干渉、またはブランキング）によってやはり構成されうる、セットと、それぞれが、干渉推定を得る方法によって定義されるＩＭ−ＣＳＩ−ＲＳリソースのセットと、あるいはまたはさらに、一部またはそれぞれ干渉成分から干渉全体を得る方法（または機能）との組み合わせとして定義されうるＣＱＩ「タイプ」（またはＣＳＩケースもしくはＣＳＩプロセス）によって、ＵＥが構成されうる。あるいはまたはさらに、実施形態では、対応する干渉成分を得る方法の一部またはそれぞれのためにＩＭ−ＣＳＩ−ＲＳリソース（またはＩＭＲ）のセットを提供することを企図する。たとえば、あるＩＭＲが、ＩＭＲ上の合計または平均エネルギーを測定する方法を用いて干渉寄与を推定するために利用されうる一方で、別のＩＭＲが、ＮＺＰ  ＣＳＩ−ＲＳからの合計または平均エネルギーの方法を用いて干渉寄与を推定するために利用されうる。そのようなシナリオでは、ＣｏＭＰ測定セットが、ＣＳＩプロセスに応じて所望の信号または干渉であると仮定されうるポイントまたはＮＺＰ  ＣＳＩ−ＲＳリソースを含むことができる。たとえば、ＣｏＭＰ測定セットは、送信に役立てられる２つのポイント、および、ブランキングまたは干渉とみなされうる別のポイントであって、そのＣＳＩ−ＲＳが干渉推定に役立てるために使用されうるポイントを含むことができる。
【０１９２】
単一ＣＱＩ「タイプ」（または送信仮定／仮説もしくはＣＳＩケースもしくはＣＳＩプロセス）に関して、ＵＥは、複数のＩＭリソースにわたる、かつ／または送信仮説に応じて干渉していると仮定されうるＮＺＰリソースにわたる寄与を合計することによって、干渉を推定することができる。各寄与についての干渉推定が、先に定義された１または複数の方法によって得られうる。レポートインスタンスに関して、ＵＥは、（各ポートまたはＣＳＩ−ＲＳリソースについて定義された可能な送信状態の構成されたセットからの）送信状態の特定のインスタンスによって構成されうる。さらに、ＵＥは、干渉の各成分の干渉推定を得る特定の方法によって構成されうる。
【０１９３】
以下の例は、この方法の可能な用途を示す。この例では、ＵＥは、ＮＺＰ＃１、ＮＺＰ＃２、およびＮＺＰ＃３とラベル付けされた３つのＮＺＰ  ＣＳＩ−ＲＳリソースによって構成される。ＵＥはまた、ＩＭ＃１とラベル付けされた１つのＩＭ  ＣＳＩ−ＲＳリソースによって構成されうる。ＵＥは、ＣＳＩプロセスに対応する送信仮説（ＴＨ）、すなわちＴＨ＃１、ＴＨ＃２、ＴＨ＃３、およびＴＨ＃４についてのＣＳＩを報告するようにさらに構成されうる。ＴＨ＃１では、ＮＺＰ＃１が所望の信号を送信することができ、ＮＺＰ＃２がミューティングすることができ、ＮＺＰ＃３が干渉することができる。ＴＨ＃２では、ＮＺＰ＃１がミューティングすることができ、ＮＺＰ＃２が所望の信号を送信することができ、ＮＺＰ＃３が干渉することができる。ＴＨ＃３では、ＮＺＰ＃１が所望の信号を送信することができ、ＮＺＰ＃２がミューティングすることができ、ＮＺＰ＃３がミューティングすることができる。ＴＨ＃４では、ＮＺＰ＃１がミューティングすることができ、ＮＺＰ＃２が所望の信号を送信することができ、ＮＺＰ＃３がミューティングすることができる。ＣＳＩプロセスの一部またはそれぞれもまた、干渉リソース（ＩＭＲ）としてＩＭ＃１を使用するように構成されうる。上記の仮説のそれぞれについて干渉を計算するために、ＵＥは、最初に、場合によっては構成された方法に従って、干渉リソースＩＭ＃１から干渉を推定することができる（たとえば、ＩＭはＺＰ  ＣＳＩ−ＲＳリソースとすることができ、その場合、ＵＥはリソース上の平均エネルギーを測定することによって干渉を推定する）。ＵＥはまた、送信仮説に応じて干渉していることができるＮＺＰ  ＣＳＩ−ＲＳリソースから干渉を追加することができる。上記の例では、ＵＥは、送信仮説ＴＨ１およびＴＨ２に関して、（干渉信号として）ＮＺＰ＃３から測定された干渉を、ＩＭ＃１から測定された干渉に追加することができる。
【０１９４】
あるいはまたはさらに、１または複数の実施形態では、ＵＥは、特定のＩＭＲの寄与を、このＩＭＲからのＩＭ  ＲＥがＣＳＩ基準リソースとして使用されるサブフレーム内に存在する場合のみ、その干渉推定に含めることができる。言い換えれば、特定のＩＭＲの寄与は、ＣＳＩ基準リソースとして使用されるサブフレームがこのＩＭＲのためのＩＭサブフレームである場合のみ、含めることができる。ＣＳＩ基準リソースは、たとえば、非周期的ＣＳＩがトリガされるサブフレームに対応することができる。
【０１９５】
あるいはまたはさらに、ＵＥは、オフセットまたはオフセットのセットによっても構成されうる。このセットのオフセットは、より高い層のシグナリング、または（非周期的フィードバックをトリガするために使用されるＤＣＩなどの）ＤＣＩにおける新規の情報要素を介して、ネットワークによって構成されうる。オフセットは、以下の意味、すなわち、ＵＥによって測定される総干渉に加えられる線形または対数値であって、そのようなオフセットはネットワークによって指し示される過去のいくつかの値にわたり累積しうる、線形または対数値、特定のＣＳＩケースのすべての構成された干渉測定の合計によって測定される干渉に対して使用されるスケーリング値、および、ＵＥによって測定される干渉のサブセットに対して使用されるスケーリング値などのうちの少なくとも１つを有することができる。たとえば、ＵＥは、場合によっては２つの異なるＩＭ方法によって、２つの成分ＩＭＲを使用することで干渉を推定するように構成されうる。この場合、ＵＥは、ＩＭＲのうちの１つによって測定される２つの干渉値のうちの１つをスケーリングするためにオフセット値を使用することができる。次いで、ＵＥは、スケーリングされた値をスケーリングされていない値に加えることで最終的干渉推定を得ることができる。あるいはまたはさらに、干渉測定の特定の成分をスケーリングするようにそれぞれ構成された複数のオフセットが使用されうる。
【０１９６】
オフセットを使用することの有用性は、干渉を捕捉しえないＩＭリソース上の干渉の推定によって引き起こされる干渉の過小評価を修正することでありうる。オフセットの値は、推定された干渉の絶対値の関数とすることができる。これは、干渉推定に大きい割合の熱雑音が存在しうるとき、ＵＥが、より小さな調節を測定された干渉推定に適用するのを可能にできる。オフセットの値はまた、必要とされる修正が高いＣＱＩ値に関して低いＣＱＩほどの高さになりえない可能性に対処するように、所望の信号の絶対値、または信号対干渉比もしくは所与のＣＳＩケースのＣＱＩの値の関数とすることができる。絶対推定干渉、所望の信号の絶対値、信号対干渉比またはＣＱＩの関数として適用するためのオフセットの値は、（たとえば、量の各範囲に対する値を有する）より高い層によって提供されうる。
【０１９７】
オフセットの値はまた、ＣＲＭまたはＣｏＭＰ測定セットの特定のＣＲＳまたは非ゼロ出力ＣＳＩ−ＲＳリソース部分から測定されるＲＳＲＰまたはＣＳＩ−ＲＳベースのＲＳＲＰの関数とすることができる。この目的でそれから対応するＲＳＲＰまたはＣＳＩ−ＲＳベースのＲＳＲＰを含める、基準信号（ＣＲＳおよび／またはＣＳＩ−ＲＳ）のリストが、より高い層のシグナリングを介してネットワークによって提供されうる。
【０１９８】
あるいはまたはさらに、ＵＥは、それが干渉測定としてＲＳＰＲを使用できる、ＣｏＭＰリソース管理（ＣＲＭ）セット内あるいはＣｏＭＰ測定セット内のポイントのリストによっても構成されうる。この構成は、ポイントまたはポイントのサブセットに対応することができる。ポイントのサブセットは明示的に指し示されうる。あるいは、ＵＥは、そのＲＳＲＰが最も大きくなりうるＣＲＭセット（またはＣｏＭＰ測定セット）におけるｘ個のポイントに対応するサイズｘのサブセットを使用するように構成されうる。
【０１９９】
あるいはまたはさらに、ＵＥは、それが他の手段を介して干渉を測定するまたは所望の信号を使用するように構成されていないＣＲＭセット内のポイントあるいはＣｏＭＰ測定セット内のポイントのＲＳＲＰを使用するように構成されうる。たとえば、ＵＥは、それのＣＲＭセットにおいてポイントＡ、Ｂ、Ｃ、およびＤを有することができる。少なくとも１つのＣＳＩケースまたはＣＳＩプロセスは、ポイントＡのＮＺＰ  ＣＳＩ−ＲＳを所望の信号として使用し、ＣＲＭセットから干渉を推定するためにポイントＢのＮＺＰ  ＣＳＩ−ＲＳを干渉ポイントおよび他のＩＭＲとして使用することに対応する。そのようなシナリオでは、ＵＥはまた、合計干渉推定への加算のために残りのポイント（この例ではポイントＣおよびＤ）のＲＳＲＰを使用するように構成されうる。
【０２００】
上記の技法のうちの１または複数では、各ＣＳＩ−ＲＳリソースおよび／またはＣＱＩタイプについて構成されたＩＭ−ＣＳＩ−ＲＳリソースのセットが、１）ＣＳＩが周期的または非周期的ＣＳＩ報告のためであるか、２）周期的または非周期的ＣＳＩモード、および３）非周期的ＣＳＩ要求を含むＤＣＩにおける表示（または非周期的ＣＳＩ要求フィールド自体）などのうちの少なくとも１つに依存しうる。
【０２０１】
さらに、周期的ＣＳＩ報告に関して、異なる干渉リソースを使用して推定されたＣＳＩは、たとえＣＳＩが同じ非ゼロ出力ＣＳＩ−ＲＳリソース（またはＣＲＳリソース）についてのものであっても、異なる周期的インスタンスで報告されることが可能でありうる。
【０２０２】
実施形態では、ＰＤＳＣＨ復号を企図する。たとえば、上記の技法の１または複数では、ＵＥは、下記の技法のうちの１または複数に応じて、単一ポイントまたはジョイント送信のための適切なＰＤＳＣＨレートマッチングを使用するために、各タイプのＣＳＩまたは各非ゼロ出力ＣＳＩ−ＲＳリソース（もしくはＣＲＳリソース）に対応するＩＭ−ＣＳＩ−ＲＳリソース（もしくはＩＭＲ）に関する知識を使用することができる。
【０２０３】
１または複数の実施形態では、構成のＩＭ−ＣＳＩ−ＲＳ（および任意の非ゼロ出力ＣＳＩ−ＲＳ）を送信するために使用されるＲＥがＰＤＳＣＨ送信のために使用されえないことを仮定して、ＵＥがＰＤＳＣＨを復号することができることを企図する。
【０２０４】
あるいはまたはさらに、実施形態では、（ＩＭ−ＣＳＩ−ＲＳ構成の第３の解決策における）ＣＳＩ構成内に存在することができる、または（ＩＭ−ＣＳＩ−ＲＳ構成の第２の解決策における）ＣｏＭＰセットの外部からの干渉の測定のために使用されうるＩＭ−ＣＳＩ−ＲＳを送信するために使用されるＲＥが、ＰＤＳＣＨ送信のために使用されることがない一方で、他のＩＭ−ＣＳＩ−ＲＳを送信するために使用されるＲＥが、ＰＤＳＣＨのために実際に使用されうることを仮定して、ＵＥはＰＤＳＣＨを復号することができることを企図する。この解決策は、ネットワークがこれらのＲＥにおける送信ポイントのサブセットから有用なＰＤＳＣＨを送信することを可能にすることができる。動的スケジューリングがどの（１または複数の）送信ポイントが実際の送信に関与しうるかに関する情報を提供する場合において、ＵＥは、実際の送信に関与する少なくとも１つの送信ポイントがＩＭ−ＣＳＩ−ＲＳまたは非ゼロ出力ＣＳＩ−ＲＳまたはＣＲＳ送信のためにＲＥを使用することがない場合、そのＲＥがＰＤＳＣＨを含むことを仮定することができる。
【０２０５】
あるいはまたはさらに、実施形態では、ＵＥが、ＰＤＳＣＨ送信のために使用されないと仮定されうるＲＥのセットにおいて明示的に指し示されうることを企図する。そのような表示は、ＭＡＣ制御要素におけるまたはＲＲＣ構成からの（たとえば、ＤＣＩ割当てにおける）物理層にあることが可能である。
【０２０６】
実施形態では、地理的に分離されたアンテナを有するシナリオのための１または複数の構成を企図する。分散されたアンテナベースのネットワーク配置と関連して使用される技術は以下のように本明細書で示すことができる。測定セットは送信ポイント（ＴＰ）のセットとすることができ、ＵＥは、測定セット内の送信ポイントからＣＳＩ−ＲＳをＵＥが見ることができるようにチャネル状況を推定することができる。１または複数の実施形態では、ＴＰは、特定のＮＺＰ  ＣＳＩ−ＲＳリソースに対応することができる。報告セットは、ＵＥがＣＳＩを報告できる先の送信ポイント（ＴＰ）のセットとすることができる。ＵＥに対して複数の報告セットが構成されることが可能であり、報告セットにおける送信ポイントは測定セット内において構成されうる。協働セットは、サブフレームでＵＥに信号を送信する送信ポイント（ＴＰ）のセットとすることができる。協働セットは、サブフレームから別のサブフレームへと変更されうる。さらに、協働セット内の送信ポイントは、測定セット内にあることが可能である。
【０２０７】
図２３は、分散されたアンテナベースのネットワーク配置における測定セット、報告セット、および協働セットの例を示す。図２３を参照すると、ＴＰ｛３，４，５｝のセットは測定セットとして定義され、サブセットＴＰ｛３，４｝は報告セットとみなされうる。ＵＥは、ＴＰ｛３，４｝に対してＣＳＩを報告するが、ＵＥへ信号を送信する実際の送信ポイントは、ＴＰ｛３，５｝と異なることがある。協働セットは、より良好なサポートリンク適応のために報告セットと同じであってもよい。実施形態では、協働セットは報告セットと同じとされうると仮定されうる。
【０２０８】
分散されたアンテナベースのネットワーク配置において正確な干渉測定を容易にするために、システムは以下のものをサポートまたは含むことができる。干渉ＴＰセットの定義が提供および／または使用されうる。たとえば、ｅＮＢは、ＵＥがそのＣＳＩ報告で干渉を考慮に入れるために干渉ＴＰセットに通知することができる。干渉ＴＰセットは、拡張されたＣｏＭＰ測定セット内に定義されることができ、したがって、干渉ＴＰセット内のＴＰは、拡張されたＣｏＭＰ測定セット内にありうる。干渉ＴＰセットは、測定セット内の報告セットのために構成されることがない残りのＴＰとして定義されうる。干渉ＴＰセットは、測定セット内の報告セットのために構成されることがない残りのＴＰよりも少ない場合がある。これは、協調セットに関わるＴＰが干渉を最小限にするためにオフにされうるからである。複数の報告セットが使用されうる場合、複数の干渉ＴＰセットが定義されうる。ＵＥの実際の協働セットはサブフレームごとに動的に変化しうるため、単一の報告セットが定義できても、干渉ＴＰのいくつかの異なる仮説のもとで干渉を測定する可能性がある。干渉ＴＰセットは、異なるタイプの要素から構成されうる。
【０２０９】
干渉ＴＰセットの要素は、単一のポート、単一の干渉ポイントからの複数のポート、または複数の干渉ポイントからの複数のポートを表すことができる。例として、干渉ＴＰセットは、２つの要素、送信点と、ＣｏＭＰクラスタ外干渉（ｏｕｔ−ｏｆ−ＣｏＭＰ−ｃｌｕｓｔｅｒ  ｉｎｔｅｒｆｅｒｅｎｃｅ）からの干渉を表す別の要素（ＣｏＭＰクラスタの外側のすべてのポイントからのすべてのポートの組み合わせ）から構成されうる。ＵＥは、要素固有の様式で干渉ＴＰセット内の各要素上の干渉を測定することができる。たとえば、ＵＥは、たとえば、ＮＺＰ  ＣＳＩ−ＲＳからのエネルギーを測定する本明細書に記載の１または複数の実施形態を用いて、干渉ＴＰセットからの非ゼロ出力ＣＳＩ−ＲＳで干渉を測定することができる。あるいはまたはさらに、ＵＥは、送信ポイントのＮＺＰ  ＣＳＩ−ＲＳで所望の信号を測定することができ、所望の信号の推定における雑音を干渉推定として使用することができる。別の解決策では、ＵＥは、（１または複数の）送信ポイントによって構成されたＺＰ  ＣＳＩ−ＲＳにおいて干渉を測定することができる。
【０２１０】
ＰＤＳＣＨ対ＣＳＩ−ＲＳ出力比（Ｐｃ）は、本明細書に説明されるように提供および／または使用されうる。例では、ＰＤＳＣＨ対ＣＳＩ−ＲＳ出力比（Ｐｃ）は、以下のうちの１または複数を使用して、より高い層のシグナリングを介してＵＥに対して構成されうる。たとえば、出力比はＴＰによって異なることがあり、したがって、測定セット内のＴＰについてのＰｃを使用する。ＵＥは、そのチャネルおよび干渉測定に対してＰｃを考慮に入れることができる（ＴＰ固有Ｐｃ）。あるいは、ＵＥは、測定セット内のＴＰにわたりＰｃが同じであることを仮定することができる（測定セット固有Ｐｃ）。別の代替的形態として、ＵＥは、報告セット内のＴｐにわたりＰｃが同じでありうることを仮定することができる（報告セット固有Ｐｃ）。さらに別の代替的形態では、ＰＵＳＣＨ報告とＰＵＣＣＨ報告について異なるＰｃが定義されうる（報告モード固有Ｐｃ）。
【０２１１】
別の代替的形態として、サブフレームタイプ（たとえば、ノーマルサブフレーム、ＡＢＳサブフレーム、およびＭＢＳＦＮサブフレーム）に応じて異なるＰｃが定義されうる（サブフレームタイプ固有Ｐｃ）。別の代替的形態として、拡張ＣｏＭＰ計測セットレポート（たとえば、ＲＳＲＰ、ＲＳＲＱ、ＣＳＩ−ＲＳＲＰ、ＣＳＩ−ＲＳＲＱなど）に対して異なるＰｃが定義されうる。
【０２１２】
部分的干渉情報（Ｐａｒｔｉａｌ  Ｉｎｔｅｒｆｅｒｅｎｃｅ  Ｉｎｆｏｒｍａｔｉｏｎ）を有する干渉測定が本明細書に説明されるようにさらに提供および／または使用されうる。たとえば、ＬＴＥでは、ＵＥにおけるＣＳＩフィードバックのための干渉測定が、セル固有基準信号（ＣＲＳ）リソース要素（ＲＥ）を使用して一般に実行されうる。しかし、ＣｏＭＰおよび異種ネットワーク（ＨｅｔＮｅｔ）のような高度な配置シナリオでは、サービングセルのＣＲＳ  ＲＥのみを使用する干渉測定は、（１または複数の）隣接セルのＣＲＳ送信の干渉レベルが大きいため、満足なものではないことがある。そこで、ＵＥは、（１または複数の）隣接セルのＣＲＳ送信の情報を考慮に入れることによって、干渉測定を実行することができる。この手法は、ＵＥの干渉測定能力を改善することができる。この解決策に基づいて、ＵＥは、その干渉測定を改善するために、（１または複数の）隣接セルに関する以下の情報の少なくとも一部を使用することができる。１）（１または複数の）隣接セルのＣＲＳポートの個数、２）（１または複数の）隣接セルのＣＲＳに関連付けられた周波数シフトνｓｈｉｆｔ、３）ＣＲＳが送信される（１または複数の）隣接セルのサブフレーム／スロット番号nｓ、４）（１または複数の）隣接セルのＭＢＳＦＮサブフレームの構成、５）（１または複数の）隣接セルの帯域幅、６）（１または複数の）隣接セルのセル識別子
【０２１３】
【数１６】
2020065263.tif 000018
【０２１４】
、７）使用されるサイクリックプレフィックス（ｃｙｃｌｉｃ  ｐｒｅｆｉｘ：ＣＰ）のタイプ
【０２１５】
【数１７】
2020065263.tif 000019
【０２１６】
、８）（１または複数の）隣接セルのＣＲＳに対して適用される出力増大などである。
【０２１７】
ＵＥは、この情報をより高い層のシグナリングを介して得ることができ、あるいは、ＵＥは、より高い層のシグナリングからの（１または複数の）隣接セルの部分的情報を得て、隣接セル探索プロセスを通して残りの情報を取得することができ、それらを干渉測定のために利用することができる。
【０２１８】
ＵＥはまた、干渉測定のために隣接セルのサブセットのＣＲＳ情報を自律的に使用することができる。この隣接セルのサブセットは、ＵＥの視点から最も強い干渉を潜在的に包含しうる。
【０２１９】
さらにまたはあるいは、ＵＥは、干渉測定のためにＣＳＩ−ＲＳリソース、ゼロ出力ＣＳＩ−ＲＳリソース、サービングセルのＣＲＳリソース、および隣接セルのＣＲＳリソースの組み合わせを使用することができる。
【０２２０】
実施形態では、時間領域多重干渉測定および／またはサブフレームセットを企図する。図２４に示される異種ネットワークのようないくつかのネットワークシナリオでは、タイプ１干渉およびタイプ２干渉レベルが、ネットワーク構成およびセル負荷状況に応じてサブフレームごとに変更されうる。
【０２２１】
マクロセルはピコセルより高い出力を送信することができるため、ピコセルに接続されたＵＳは、マクロセルからの強い干渉のため、信号を受信できないことがある。この状況に対処するために、マクロセル内のサブフレームのサブセットは、ピコセルにおけるＵＥが強い干渉なしに信号を受信できるように、オールモストブランクサブフレーム（ＡＢＳ）として構成されうる。他方で、ＵＥは、マクロにおけるサブフレーム構成に応じて異なる干渉レベルを経験できることで、ＣＳＩフィードバックのための干渉推定が異なるように実行されうるようになる。
【０２２２】
ＵＥは、複数のＣＳＩサブフレームセットを有するサブフレーム構成に関して通知されうる。たとえば、サブフレームセットＣcsi,0およびＣcsi,1がより高い層で構成されることがあり、各ＣＳＩ基準信号はＣcsi,0またはＣcsi,1の両方ではなくどちらかに属する。干渉測定はまた、サブフレームセット構成に従うことができる。この場合、干渉測定に関するＵＥの挙動は、本明細書に説明されるように以下の少なくとも１つでありうる。
【０２２３】
たとえば、ＵＥは、ＣＳＩ基準信号Ｃcsi,0またはＣＳＩ基準信号Ｃcsi,1から干渉を推定することができる。たとえば、ＵＥはＣＳＩ基準リソースによって構成されることができ、ＵＥは構成されたサブフレームセットのみにおいて干渉を推定することができる。別の例では、サブフレームセット内で、サブフレームウィンドウサイズを通して推定された干渉を平均化することができ、このサブフレームウィンドウサイズは、より高い層によって予め定義されまたは構成されうる。たとえば、ウィンドウサイズは｛１，５，１０，２０，４０，および８０｝のうちの１つとすることができる。
【０２２４】
別の例では、サブフレームセット内で、ＵＥが周期的ＣＳＩを報告するように要求される、または周期的ＣＳＩを報告したいもしくはその必要なことがあるとき、ＵＥは有効なダウンリンクサブフレームにおいて干渉を推定することができ、この有効なダウンリンクサブフレームは、以下の基準をダウンリンクサブフレームが満たす場合に識別されうる。１）それが、そのＵＥのためのダウンリンクサブフレームとして構成されうる、２）それが、ＰＭＣＨ送信のためのＭＢＳＦＮサブフレームになりえない、３）それが、ＤｗＰＴＳの長さが７６８０・Ｔｓ以下とされうる場合にＤｗＰＴＳフィールドを含みえない、４）それが、そのＵＥのために構成された測定ギャップ内にならない、５）それが、干渉測定タイプに応じて、ＩＭ−ＣＳＩ−ＲＳ、ＣＳＩ−ＲＳ、および／またはＣＲＳのような対応する基準リソースを含む。
【０２２５】
ＣＳＩフィードバックタイミングに関わらず、ＵＥは、単一ＣＳＩ基準リソースＣcsi,0またはＣcsi,1の推定された干渉を使用することができる。たとえば、実施形態では、ＵＥは、ＣＳＩ基準リソースＣcsi,0およびＣcsi,1の両方から干渉を推定することができる。一例では、ＵＥは、サブフレームセットから別々に干渉Ｉcsi,0またはＩcsi,1を推定することができる。Ｉcsi,0は基準リソースＣcsi,0内で推定され、Ｉcsi,1は基準リソースＣcsi,1内で推定されうる。別の例では、サブフレームセット内で、ＵＥは、サブフレームウィンドウサイズを通して推定された干渉を平均化することができ、サブフレームウィンドウサイズは、より高い層によって予め定義されまたは構成されうる。たとえば、ウィンドウサイズは｛１，５，１０，２０，４０，８０｝のうちの１つとすることができる。
【０２２６】
別の例では、サブフレームセット内で、ＵＥが非周期的ＣＳＩを報告するように要求される、または周期的ＣＳＩを報告したいもしくは報告する必要があるとき、ＵＥは有効なダウンリンクサブフレームにおいて干渉を推定することができ、この有効なダウンリンクサブフレームは、以下の基準をダウンリンクサブフレームが満たす場合に識別されうる。１）それが、そのＵＥのためのダウンリンクサブフレームとして構成されうる、２）それが、ＰＭＣＨ送信のためのＭＢＳＦＮサブフレームになりえない、３）それが、ＤｗＰＴＳの長さが７６８０・Ｔｓ以下である場合にＤｗＰＴＳフィールドを含みえない、４）それが、そのＵＥのために構成された測定ギャップ内にならない、５）それが、干渉測定タイプに応じて、ＩＭ−ＣＳＩ−ＲＳ、ＣＳＩ−ＲＳ、および／またはＣＲＳのような対応する基準リソースを含む。
【０２２７】
Ｉcsi,0またはＩcsi,1の使用は、それがＣcsi,0に関連してもＣcsi,1に関連してもＣＳＩ報告タイプに結び付けられる。ＣＳＩ報告がＣcsi,0に関係することがある場合、Ｉcsi,0はＣＳＩ計算のために使用され、Ｉcsi,1は他の形で使用されうる。
【０２２８】
Ｉcsi,0またはＩcsi,1の使用は、ＵＥがＣＳＩを報告したいまたはその報告を望むことがあるアップリンクサブフレームｎに結び付けられうる。ｎ−４の前の最新の有効なダウンリンクサブフレームが基準リソースＣcsi,0に属する場合、Ｉcsi,0が使用され、Ｉcsi,1は他の形で使用されうる。
【０２２９】
ＵＥが、複数の基準リソースから、複数の干渉タイプ（たとえば、セル内干渉およびセル間干渉）を推定することができる場合、マルチタイプ干渉測定のためのＵＥの挙動は、少なくとも以下のうちの１つとすることができる。すなわち、１）タイプ１干渉が基準リソースのうちの１つに属し、タイプ２干渉が基準リソースのうちの残りに属する、２）タイプ１干渉はＣcsi,0またはＣcsi,1に属し、タイプ２干渉はＣcsi,0またはＣcsi,1と部分的に重なりうる独立したサブフレームセット（ＴCSI）を有することができ、サブフレームセット（ＴCSI）がより高い層によって構成されうる、３）タイプ２干渉はＣcsi,0およびまたはＣcsi,1に属し、タイプ１干渉はＣcsi,0および／またはＣcsi,1と部分的に重なりうる独立したサブフレームセット（ＴCSI）を有することができ、サブフレームセット（ＴCSI）がより高い層によって構成されうる、ならびに、４）新しいサブフレームサブセットＴCSI,0およびＴCSI,1が、タイプ１およびタイプ２干渉推定のために定義され、ここで、サブフレームサブセットはＣcsi,0またはＣcsi,1内で定義され、かつ／またはサブフレームサブセットはＣcsi,0およびＣcsi,1について独立して定義されうる、などである。
【０２３０】
また、ＣＳＩフィードバック強化が提供および／または使用されうる。ｅＮＢはＵＥがダウンリンクで経験しうる干渉を検出または見ることができないことがあるため、ＵＥがダウンリンクで負担にさらされる可能性があるので、ＣＳＩフィードバックは、ｅＮＢスケジューラにおける干渉最小化の取組みをサポートするために強化されうる。図１６に示される分散されたアンテナベースのネットワーク配置に関して、ｅＮＢスケジューラにおける適切な協働セット選択は干渉を低減することができる。
【０２３１】
送信ポイントは、１つのＣＳＩ−ＲＳまたは１つのセットのＣＳＩ−ＲＳを送信することができる。基準信号受信電力（Ｒｅｆｅｒｅｎｃｅ  Ｓｉｇｎａｌ  Ｒｅｃｅｉｖｅｄ  Ｐｏｗｅｒ：ＲＳＲＰ）は、
【０２３２】
【数１８】
2020065263.tif 000020
【０２３３】
：ポートｐのＵＥｉの受信されたＣＲＳ基準信号電力、
【０２３４】
【数１９】
2020065263.tif 000021
【０２３５】
：ポートｐのＵＥｉの受信されたｅＮＢ  ｊ＝０，ＣＳＩ−ＲＳ基準信号電力、
【０２３６】
【数２０】
2020065263.tif 000022
【０２３７】
：ポートｐのＵＥｉの受信されたＲＲＨ  ｊ＝１，…，Ｍ  ＣＳＩ−ＲＳ基準信号電力、などのように定義されうる。
【０２３８】
実施形態では、配置シナリオのシグナリングを企図する。たとえば、実施形態では、ＵＥは、以下の解決策のいくつかを使用して、それらの配置シナリオを示す表示を提供されうる。配置シナリオの情報またはタイプは、（ＲＲＣＣｏｎｎｅｃｔｉｏｎＳｅｔｕｐまたはＲＣＣｏｎｎｅｃｔｉｏｎＲｅｃｏｎｆｉｇｕｒａｔｉｏｎメッセージなどの）ＲＲＣシグナリングによってＵＥへ信号伝達されうる。配置シナリオの情報またはタイプは、ＭＡＣ−ＣＥシグナリングによってＵＥへ信号伝達されてもよい。新しいビットフィールドまたはＭＡＣ−ＣＥヘッダの予約されたビットフィールドのうちの１つが使用されうる。配置シナリオの情報またはタイプは、ＰＨＹシグナリングによってＵＥへ信号伝達されてもよい。新しい拡張ＰＤＣＣＨフォーマットにおける新しいビットフィールドが使用されうる。
配置シナリオの情報またはタイプは、ＰＢＣＨまたはＳＩＢでブロードキャストされてもよい。Ｐ−ＢＣＨまたはＳＩＢタイプｋにおける新しいビットフィールドがこの目的で使用されうる。
【０２３９】
ＵＥ中心のＴＰ選択が提供および／または使用されうる。例では、ＵＥは、測定セット内の各ＴＰのＣＳＩ−ＲＳ強度（たとえば、ＣＳＩ−ＲＳのＲＳＲＰ）を測定することができ、ＴＰのＣＳＩ−ＲＳ強度が閾値を満たす場合にＴＰのインデックスを報告することができる。たとえば、
【０２４０】
【数２１】
2020065263.tif 000023
【０２４１】
ｊ＝０であり、ここでΔは閾値でありうる。
【０２４２】
実施形態では、黙示的な優先的ＴＰ報告を企図する。たとえば、ＵＥは報告セットのためにＣＳＩフィードバックを報告することができ、ＰＵＣＣＨリソースが報告セット内の各ＴＰに割り当てられうる。３つのＴＰが報告セット内に構成されうる場合、３つのＰＵＣＣＨリソースが存在しうる。ＵＥは、周期的報告が構成されうるとき、対応するＰＵＣＣＨリソースを介して報告内のＴＰについてＣＳＩを報告することができる。ＵＥから優先的ＴＰを決定するために、ｅＮＢスケジューラに対して以下のＵＥの挙動が定義されうる。ＴＰからのＲＳＲＰが対応するＰＵＣＣＨリソースにおける閾値を満たす場合、ＵＥは、報告セット内のすべてのＴＰについてＣＳＩを報告することができる。ＲＳＲＰは、報告セット内のＴＰごとに計算されうる。ＴＰからのＲＳＲＰが閾値を満たせない場合、ＵＥは、対応するＰＵＣＣＨリソースでＤＴＸを送信することができる。
【０２４３】
実施形態では、明示的な優先的ＴＰ報告を企図する。ＵＥは、以下の解決策の１または複数を使用して、測定セット内の優先的ＴＰをｅＮＢに報告することができる。情報ＴＰ選択は、（ＲＲＣＣｏｎｎｅｃｔｉｏｎＳｅｔｕｐＣｏｍｐｌｅｔｅまたはＲＣＣｏｎｎｅｃｔｉｏｎＲｅｃｏｎｆｉｇｕｒａｔｉｏｎＣｏｍｐｌｅｔｅメッセージなどの）ＲＲＣシグナリングによってｅＮＢに信号伝達されうる。配置シナリオの情報またはタイプはＭＡＣ−ＣＥシグナリングによってｅＮＢへ信号伝達されてもよい。新しいビットフィールドまたはＭＡＣ−ＣＥヘッダの予約されたビットフィールドのうちの１つが使用されうる。配置シナリオの情報またはタイプは、ＰＨＹシグナリングによってｅＮＢへ信号伝達されてもよい。新しい拡張ＰＤＣＣＨフォーマットにおける新しいビットフィールドが使用されうる。
【０２４４】
実施形態では、適応性ＰＭＩ粒度フィードバックを企図する。マクロセル範囲を有する複数のＴｘポイントの存在を活用し、（特に）効率的なＣＱＩフィードバックをするために、異なるＰＭＩおよび／またはＣＱＩフィードバック分解能が異なるＴｘポイントに対して適用されうる。たとえば、高いＰＭＩおよび／またはＣＱＩフィードバック分解能が一次Ｔｘポイントに適用されうる。一次ＴｘポイントのＰＭＩフィードバックのビット数は、（たとえば、Ｒｅｌ−８から１０における）通常の４ビットより多くすることもできる。あるいは、より低いＰＭＩおよび／またはＣＱＩフィードバック分解が二次Ｔｘポイントに適用されうる。二次ＴｘポイントのＰＭＩフィードバックのビット数は、（たとえば、Ｒｅｌ−８から１０における）通常の４ビットより少なくすることもできる。
【０２４５】
実施形態では、ＴＰごとのＲＳＲＰ測定報告を企図する。実施形態では、ＵＥは、ＴＰごとの量子化されたＰＳＲＰを報告することができる。ＲＳＲＰの別個のレポートがＣＲＳおよびＣＳＩ−ＲＳ測定のためにｅＮＢに送られうる。他の別個のレポートが、ＣＳＩ−ＲＳが構成されうるアンテナポートごとに送られうる。
【０２４６】
実施形態では、周波数選択性ＲＩ報告（Ｆｒｅｑｕｅｎｃｙ  Ｓｅｌｅｃｔｉｖｅ  ＲＩ  ｒｅｐｏｒｔｉｎｇ）を企図する。たとえば、ＵＥは、以前のリリース（Ｒｅｌ−８／９／１０）で使用された広帯域ＲＩフィードバックと比べて細かい分解能のＲＩフィードバックを提供するためにサブバンド単位でＲＩを報告することができる。周波数選択性ＲＩ報告は周波数選択性ＰＭＩ報告とともに動作することができるため、周波数選択性ＰＭＩおよびＣＱＩをサポートするＰＵＳＣＨ報告モード３−２が周波数選択性ＲＩ報告のために使用されうる。ＲＩ報告粒度はＰＭＩ報告粒度と同じでありうる。
【０２４７】
実施形態では、ＰＵＣＣＨにおけるＲＩの存在を示すための１または複数の技法を企図する。たとえば、ＵＥは、最も低い頻度で報告されたＰＵＣＣＨフィードバックタイプで１ビットのレポートタイプインジケータ（ｒｅｐｏｒｔ  ｔｙｐｅ  ｉｎｄｉｃａｔｏｒ：ＲＴＩ）を報告することで、後続のＰＵＣＣＨレポートがランクインジケータを含有するか否かを示すことができる。別の（たとえば、Ｔｘ１０）モードが定義され、既存のＰＵＣＣＨモード１−１および２−１を拡張して効率的なＲＩ報告をサポートすることができる。
【０２４８】
たとえば、ＰＵＣＣＨ１−１−ＣＳＩモード１（異なるサブフレームで報告されるＷ1およびＷ2）が使用または提供されうる。レポート１は、共同で符号化された、ＲＩ、サブサンプルＷ1（サブサンプリングはＲＩに基づいて変化する）、および１ビットＲＴＩ（レポートタイプインジケータ）を含むことができる。レポート２は、ＲＴＩ＝１、広帯域ＣＱＩおよび広帯域Ｗ2（Ｗ2サブサンプリングなし）、ならびにＲＴＩ＝０、広帯域ＣＱＩ、サブサンプリングされた広帯域Ｗ2およびＲＩ（たとえば、このレポートでは、ＲＩはシグナリングオーバーヘッドを節約するために異なる形で報告されうる。そして報告されたＲＩはデルタＲＩとされうる）を含むことができ、Ｗ2コードブックＣ2はサイズ１とすることができる場合、広帯域Ｗ2はシグナリングされることがない。
【０２４９】
また、ＰＵＣＣＨ１−１−ＣＳＩモード２（Ｗ1およびＷ2が同じサブフレームで報告される）も提供および／または使用されうる。レポート１は、共同で符号化されたＲＩおよび１ビットＲＴＩを含むことができる。レポート２は、ＲＴＩ＝１、ＷＢ  ＣＱＩとともに報告されるＷ1およびＷ2の共同符号化（たとえば、サブサンプリングは事前調整されたランクとともに変化することができる）、ならびにＲＴＩ＝０、ＷＢ  ＣＱＩおよび（デルタ）ＲＩとともに報告されるＷ1およびＷ2の共同符号化（たとえば、サブサンプリングは事前調整されたランクとともに変化することができる）などを含むことができる。
【０２５０】
また、ＰＵＣＣＨ２−１も提供および／または使用されうる。レポート１は、ＲＩ、１ビットプリコーダタイプ表示（ｐｒｅｃｏｄｅｒ  ｔｙｐｅ  ｉｎｄｉｃａｔｉｏｎ：ＰＴＩ）および１ビットレポートタイプインジケータ（ｒｅｐｏｒｔ  ｔｙｐｅ  ｉｎｄｉｃａｔｏｒ：ＲＴＩ）を含むことができる。レポート２は、ＰＴＩ＝０およびＲＴＩ＝１：報告されうるＷ1、ＰＴＩ＝０およびＲＴＩ＝０：報告されうるＷ1およびＲＩ、ＰＴＩ＝０およびＲＴＩ＝１：報告されうる広帯域ＣＱＩおよび広帯域Ｗ2、ならびにＰＴＩ＝０およびＲＴＩ＝０：報告されうる広帯域ＣＱＩ、広帯域Ｗ2およびＲＩなどを含むことができる。レポート３は、ＰＴＩ＝０：報告されうる広帯域ＣＱＩおよび広帯域Ｗ2、ならびにＰＴＩ−１：サブバンドＣＱＩおよびサブバンドＷ2などを含むことができる。レポート１は、ＭＲＩ×（Ｊ×Ｋ＋１）×ＮCサブフレームごとに報告されうる。レポート２は、ＮC×Ｈサブフレームごとに報告されうる（たとえば、ＰＴＩ＝０の場合、Ｈ＝Ｍ（ＭはＲＲＣによって信号伝達されうる）、および／またはＰＴＩ＝１の場合、Ｈ＝（Ｊ×Ｋ＋１）（ＫはＰＲＣによって信号伝達されうる））。レポート３は、ＮCサブフレームごとに報告されうる。
【０２５１】
上記の説明および図１から２４に鑑みて、１または複数の実施形態では、方法、および、プロセッサを備えることができるワイヤレス送受信ユニット（ＷＴＲＵ）などのそのような方法を実施するように構成されるデバイスを企図する。１または複数の実施形態では、プロセッサは、１または複数の送信ポイントから受信されうる１または複数の干渉測定リソース要素を識別するように少なくとも部分的に構成されうる。プロセッサは、識別された１または複数の干渉測定リソース要素に関連付けられたかつ／またはそれらで測定されたエネルギーに少なくとも部分的に基づいて、干渉測定推定を実行するようにさらに構成されうる。プロセッサはまた、１または複数の干渉測定推定に少なくとも部分的に基づいて、チャネル状態情報（ＣＳＩ）を生成するように構成されうる。１または複数の実施形態では、プロセッサは、１もしくは複数の送信ポイントおよび／または１もしくは複数の他のノードの少なくとも１つへのＣＳＩおよび／または１もしくは複数のＣＳＩレポートの送信を開始するように構成されうる。１または複数の実施形態では、１または複数の干渉測定リソース要素は、リソース要素のセットの一部として受信されうる。実施形態では、リソース要素のセットは、空のリソース要素（および／または、物理ダウンリンク共有チャネル（ＰＤＳＣＨ）シンボルを含有しないリソース要素）をさらに含むことができることを企図する。１または複数の実施形態では、プロセッサは、空のリソース要素（および／または、物理ダウンリンク共有チャネル（ＰＤＳＣＨ）シンボルを含有しないリソース要素）に少なくとも部分的に基づいて、（おそらくはＰＤＳＣＨ復号のための）レートマッチングを実行するようにさらに構成されうる。
【０２５２】
１または複数の実施形態では、１または複数の干渉測定リソース要素は、干渉測定のために指定された１または複数のサブフレームにおいて受信されうる。実施形態では、１または複数の干渉測定リソース要素は、干渉測定のために指定された１または複数のリソースブロックにおいて受信されうることを企図する。さらに、１または複数の干渉測定リソース要素は、１または複数の干渉測定リソースブロックにおいてそれぞれの位置を有することができる。
【０２５３】
１または複数の実施形態では、リソース要素のセットは、ゼロ出力チャネル状態インジケータ基準信号（ＣＳＩ−ＲＳ）のリソース要素のサブセットとして定義されうる。また、１または複数の実施形態では、ゼロ出力ＣＳＩ−ＲＳは、リソース要素の少なくとも４つのサブセットを含むことができ、リソース要素の少なくとも４つのサブセットのうちの少なくとも１つは、干渉測定要素サブセットであり、リソース要素の少なくとも４つのサブセットのうちの少なくとも１つは、空のリソース要素（および／またはＰＤＳＣＨシンボルを含有しないリソース要素）サブセットでありうる。１または複数の実施形態では、１または複数の干渉測定リソース要素は、干渉測定チャネル状態情報基準信号（ＩＭ−ＣＳＩ−ＲＳ）（または、１もしくは複数の干渉測定リソース（ＩＭＲ））でありうる。
【０２５４】
１または複数の実施形態では、１または複数の干渉測定リソース要素は、それぞれのタイプの干渉に対応することができる。いくつかの実施形態では、プロセッサは、１または複数の送信ポイントから受信された推定方法タイプを識別するようにさらに構成されうる。また、いくつかの実施形態では、干渉測定推定の実行は、干渉のタイプおよび推定方法タイプにさらに基づくことができる。
【０２５５】
１または複数の実施形態では、１または複数の干渉測定リソースブロックにおける１または複数の干渉測定リソース要素のそれぞれの位置は、異なる１または複数の干渉測定サブフレームの間で変化されうる。さらに、変化は、擬似ランダム系列またはモジュロ関数の少なくとも一方に基づくことができる。いくつかの実施形態では、１または複数の干渉測定リソースブロックにおける１または複数の干渉測定リソース要素のそれぞれの位置は、１または複数の異なる物理リソース要素ブロック（ＰＲＢ）または１または複数の異なる仮想リソース要素ブロック（ＶＲＢ）の少なくとも一方の間で変化されうる。１または複数の実施形態では、１または複数の干渉測定サブフレームは、おそらくは擬似ランダム系列に少なくとも部分的に基づいて、時間的に分離されうる。
【０２５６】
１または複数の実施形態では、１または複数の干渉測定リソース要素のそれぞれは、１または複数の干渉測定リソース要素インスタンスをそれぞれ表すことができる。いくつかの実施形態では、プロセッサは、１または複数の送信ポイントから受信されうる１または複数の非干渉測定リソース要素をそれぞれの１または複数の非干渉測定リソース要素インスタンスで識別するようにさらに構成されうる。また、いくつかの実施形態では、プロセッサは、１または複数の非干渉測定リソース要素インスタンスの少なくとも１つと１または複数の干渉測定リソース要素インスタンスの少なくとも１つとの間の一致条件を決定するように構成されうる。１または複数の実施形態では、プロセッサは、１または複数の干渉測定リソース要素インスタンスの少なくとも１つが１または複数の非干渉測定リソース要素インスタンスの少なくとも１つと一致したことを示す一致条件があると、干渉測定推定の実行から、１または複数の干渉測定リソース要素インスタンスの少なくとも１つを除外するようにさらに構成されうる。
【０２５７】
実施形態では、方法、および、プロセッサを備えることができるワイヤレス送受信ユニット（ＷＴＲＵ）などのそのような方法を実施するように構成されるデバイスを企図する。１または複数の実施形態では、プロセッサは、１または複数の送信ポイントから受信された１または複数の干渉測定リソース要素を識別するように少なくとも部分的に構成されうる。プロセッサはまた、１もしくは複数の送信ポイントから受信された所望の信号（または、１もしくは複数の送信ポイントから受信された非干渉想定リソース要素）を含有するまたは含むと仮定されうる１または複数のリソース要素を識別するように構成されうる。１または複数の実施形態では、プロセッサが、少なくとも１つのタイプのチャネル状態情報（ＣＳＩ）を識別するように構成されうることを企図する。プロセッサはまた、１または複数の識別された干渉測定リソース要素に関連付けられたかつ／またはそれらで測定されたエネルギー、所望の信号を含有するまたは含むと仮定されうる１もしくは複数のリソース要素（また、１もしくは複数の非干渉測定リソース要素）に関連付けられたかつ／またはそれらで測定されたエネルギー、ならびに／またはＣＳＩのタイプに少なくとも部分的に基づいて、干渉測定推定を実行するようにさらに構成されうる。
【０２５８】
１または複数の実施形態では、プロセッサはまた、干渉測定推定に少なくとも部分的に基づいて、識別されたタイプのＣＳＩについて、おそらくは１または複数のレポートの形式で、チャネル状態情報（ＣＳＩ）を生成するように構成されうる。また、プロセッサは、１もしくは複数の送信ポイントおよび／または１もしくは複数の他のノードの少なくとも１つへのＣＳＩレポートの送信を開始するように構成されうる。１または複数の実施形態では、所望の信号を含有すると仮定される１もしくは複数のリソース要素の少なくとも１つ（または、１もしくは複数の非干渉測定リソース要素の少なくとも１つ）は、非ゼロ出力チャネル状態インジケータ基準信号（ＣＳＩ−ＲＳ）でありうる。そして１または複数の実施形態では、プロセッサは、線形値または対数値の少なくとも一方を干渉測定推定に適用するようにさらに構成されうる。
【０２５９】
上記では特定の組み合わせで特徴および要素が説明されたが、各特徴または要素が、単独でまたは他の特徴および要素との任意の組み合わせで使用されうることは、当業者には認識されよう。さらに、本明細書に記載の方法は、コンピュータまたはプロセッサによる実行のためにコンピュータ可読媒体に組み込まれたコンピュータプログラム、ソフトウェア、またはファームウェアで実装されうる。コンピュータ可読媒体の例は、（有線または無線接続を介して送信される）電子信号、およびコンピュータ可読記憶媒体を含む。コンピュータ可読記憶媒体の例は、これらに限定されないが、読取り専用メモリ（ＲＯＭ）、ランダムアクセスメモリ（ＲＡＭ）、レジスタ、キャシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む、ソフトウェアに関連するプロセッサを使用して、ＷＴＲＵ、ＵＥ、端末、基地局、ＲＮＣ、または任意のホストコンピュータで使用される無線周波数トランシーバを実装することができる。
【０２６０】
上述の方法、装置、およびシステムの変形が本発明の範囲から逸脱することなく可能である。適用されうる多様な実施形態に鑑みて、説明された実施形態は例示であって、添付の特許請求の範囲の範囲を限定するものと捉えられるべきではないことは理解されよう。
【図１Ａ】
2020065263.tif 000024
【図１Ｂ】
2020065263.tif 000025
【図１Ｃ】
2020065263.tif 000026
【図１Ｄ】
2020065263.tif 000027
【図１Ｅ】
2020065263.tif 000028
【図２】
2020065263.tif 000029
【図３】
2020065263.tif 000030
【図４】
2020065263.tif 000031
【図５】
2020065263.tif 000032
【図６】
2020065263.tif 000033
【図７】
2020065263.tif 000034
【図８】
2020065263.tif 000035
【図９】
2020065263.tif 000036
【図１０】
2020065263.tif 000037
【図１１】
2020065263.tif 000038
【図１２】
2020065263.tif 000039
【図１３】
2020065263.tif 000040
【図１４】
2020065263.tif 000041
【図１５】
2020065263.tif 000042
【図１６】
2020065263.tif 000043
【図１７】
2020065263.tif 000044
【図１８】
2020065263.tif 000045
【図１９】
2020065263.tif 000046
【図２０】
2020065263.tif 000047
【図２１】
2020065263.tif 000048
【図２２】
2020065263.tif 000049
【図２３】
2020065263.tif 000050
【図２４】
2020065263.tif 000051
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）であって、
干渉測定（ＩＭ）リソースの第１の構成を決定し、ＩＭリソースの前記第１の構成は、非ゼロ出力（ＮＺＰ）チャネル状態情報（ＣＳＩ）基準信号（ＣＳＩ−ＲＳ）リソースの第１の構成およびＣＳＩ−ＩＭリソースの第１の構成の少なくとも１つを含み、ＮＺＰ  ＣＳＩ−ＲＳリソースの前記第１の構成はリソース要素（ＲＥ）の第１のセットに対応し、ＣＳＩ−ＩＭリソースの前記第１の構成はＲＥの第２のセットに対応し、
ＩＭリソースの第２の構成を決定し、ＩＭリソースの前記第２の構成は、ＮＺＰ  ＣＳＩ−ＲＳリソースの第２の構成およびＣＳＩ−ＩＭリソースの第２の構成の少なくとも１つを含み、ＮＺＰ  ＣＳＩ−ＲＳリソースの前記第２の構成はＲＥの第３のセットに対応し、ＣＳＩ−ＩＭリソースの前記第２の構成はＲＥの第４のセットに対応し、
ＩＭリソースの前記第１の構成に関連付けられた第１のＣＳＩレポートがトリガされたことの決定に応答して、第１のＣＳＩレポート構成を使用して、前記第１のＣＳＩレポートを送り、
ＩＭリソースの前記第２の構成に関連付けられた第２のＣＳＩレポートがトリガされたことの決定に応答して、第２のＣＳＩレポート構成を使用して、前記第２のＣＳＩレポートを送る
ように構成されたプロセッサ
を備えたことを特徴とするＷＴＲＵ。
【請求項２】
前記プロセッサは、ＩＭリソースの前記第１の構成が第１のＣＳＩプロセスに対応し、ＩＭリソースの前記第２の構成が第２のＣＳＩプロセスに対応するように構成されたことを特徴とする請求項１に記載のＷＴＲＵ。
【請求項３】
前記プロセッサは、
リソース要素の前記第１のセットまたはリソース要素の前記第２のセットの少なくとも１つにおける第１のエネルギーを測定するように構成され、および前記プロセッサは前記第１のＣＳＩレポートが前記測定された第１のエネルギーに少なくとも基づくように構成されたことを特徴とする請求項１に記載のＷＴＲＵ。
【請求項４】
前記プロセッサは、
リソース要素の前記第３のセットまたはリソース要素の前記第４のセットの少なくとも１つにおける第２のエネルギーを測定するように構成され、および前記プロセッサは前記第２のＣＳＩレポートが前記測定された第２のエネルギーに少なくとも基づくように構成されたことを特徴とする請求項１に記載のＷＴＲＵ。
【請求項５】
前記プロセッサは、
前記測定された第１のエネルギーが第１の干渉エネルギーであると決定するように構成されたことを特徴とする請求項３に記載のＷＴＲＵ。
【請求項６】
前記プロセッサは、
前記測定された第２のエネルギーが第２の干渉エネルギーであると決定するように構成されたことを特徴とする請求項４に記載のＷＴＲＵ。
【請求項７】
ＣＳＩ−ＩＭリソースの前記第１の構成は、第１のｒｅｓｏｕｒｃｅＣｏｎｆｉｇまたは第１のｓｕｂｆｒａｍｅＣｏｎｆｉｇの少なくとも１つを含むことを特徴とする請求項１に記載のＷＴＲＵ。
【請求項８】
ＣＳＩ−ＩＭリソースの前記第２の構成は、第２のｒｅｓｏｕｒｃｅＣｏｎｆｉｇまたは第２のｓｕｂｆｒａｍｅＣｏｎｆｉｇの少なくとも１つを含むことを特徴とする請求項１に記載のＷＴＲＵ。
【請求項９】
ＩＭリソースの前記第１の構成はゼロ出力（ＺＰ）ＣＳＩ−ＲＳリソースの第１の構成をさらに含み、ＺＰ  ＣＳＩ−ＲＳリソースの前記第１の構成はリソース要素の第５のセットに対応していることを特徴とする請求項１に記載のＷＴＲＵ。
【請求項１０】
ＩＭリソースの前記第２の構成はＺＰ  ＣＳＩ−ＲＳリソースの第２の構成をさらに含み、ＺＰ  ＣＳＩ−ＲＳリソースの前記第２の構成はリソース要素の第６のセットに対応していることを特徴とする請求項１に記載のＷＴＲＵ。
【請求項１１】
ワイヤレス送受信ユニット（ＷＴＲＵ）によって実行される方法であって、
干渉測定（ＩＭ）リソースの第１の構成を決定するステップであって、ＩＭリソースの前記第１の構成は、非ゼロ出力（ＮＺＰ）チャネル状態情報（ＣＳＩ）基準信号（ＣＳＩ−ＲＳ）リソースの第１の構成およびＣＳＩ−ＩＭリソースの第１の構成の少なくとも１つを含み、ＮＺＰ  ＣＳＩ−ＲＳリソースの前記第１の構成はリソース要素（ＲＥ）の第１のセットに対応しており、ＣＳＩ−ＩＭリソースの前記第１の構成はＲＥの第２のセットに対応している、ステップと、
ＩＭリソースの第２の構成を決定するステップであって、ＩＭリソースの前記第２の構成は、ＮＺＰ  ＣＳＩ−ＲＳリソースの第２の構成およびＣＳＩ−ＩＭリソースの第２の構成の少なくとも１つを含み、ＮＺＰ  ＣＳＩ−ＲＳリソースの前記第２の構成はＲＥの第３のセットに対応しており、ＣＳＩ−ＩＭリソースの前記第２の構成はＲＥの第４のセットに対応している、ステップと、
ＩＭリソースの前記第１の構成に関連付けられた第１のＣＳＩレポートがトリガされたことの決定に応答して、第１のＣＳＩレポート構成を使用して、前記第１のＣＳＩレポートを送るステップと、
ＩＭリソースの前記第２の構成に関連付けられた第２のＣＳＩレポートがトリガされたことの決定に応答して、第２のＣＳＩレポート構成を使用して、前記第２のＣＳＩレポートを送るステップと
を備えることを特徴とする方法。
【請求項１２】
ＩＭリソースの前記第１の構成は第１のチャネル状態情報（ＣＳＩ）プロセスに対応し、ＩＭリソースの前記第２の構成は第２のＣＳＩプロセスに対応することを特徴とする請求項１１に記載の方法。
【請求項１３】
リソース要素の前記第１のセットまたはリソース要素の前記第２のセットの少なくとも１つにおける第１のエネルギーを測定するステップをさらに備え、
前記第１のＣＳＩレポートは、前記測定された第１のエネルギーに少なくとも基づいていること
を特徴とする請求項１１に記載の方法。
【請求項１４】
リソース要素の前記第３のセットまたはリソース要素の前記第４のセットの少なくとも１つにおける第２のエネルギーを測定するステップをさらに備え、
前記第２のＣＳＩレポートは、前記測定された第２のエネルギーに少なくとも基づいていること
を特徴とする請求項１１に記載の方法。
【請求項１５】
前記測定された第１のエネルギーが第１の干渉エネルギーであると決定するステップ
をさらに備えることを特徴とする請求項１３に記載の方法。
【請求項１６】
前記測定された第２のエネルギーが第２の干渉エネルギーであると決定するステップ
をさらに備えることを特徴とする請求項１４に記載の方法。
【請求項１７】
ＣＳＩ−ＩＭリソースの前記第１の構成は、第１のｒｅｓｏｕｒｃｅＣｏｎｆｉｇまたは第１のｓｕｂｆｒａｍｅＣｏｎｆｉｇの少なくとも１つを含むことを特徴とする請求項１１に記載の方法。
【請求項１８】
ＣＳＩ−ＩＭリソースの前記第２の構成は、第２のｒｅｓｏｕｒｃｅＣｏｎｆｉｇまたは第２のｓｕｂｆｒａｍｅＣｏｎｆｉｇの少なくとも１つを含むことを特徴とする請求項１１に記載の方法。
【請求項１９】
ＩＭリソースの前記第１の構成はゼロ出力（ＺＰ）ＣＳＩ−ＲＳリソースの第１の構成をさらに含み、ＺＰ  ＣＳＩ−ＲＳリソースの前記第１の構成はリソース要素の第５のセットに対応している
ことを特徴とする請求項１１に記載の方法。
【請求項２０】
ＩＭリソースの前記第２の構成はゼロ出力（ＺＰ）ＣＳＩ−ＲＳリソースの第２の構成をさらに含み、ＺＰ  ＣＳＩ−ＲＳリソースの前記第２の構成はリソース要素の第６のセットに対応している
ことを特徴とする請求項１１に記載の方法。